(57)【要約】【課題】買い物の手間を省いて栄養バランスの良く食材の買い物をすることができるようにした食材検索システムを提供する。【解決手段】ユーザ端末機器１の表示画面１ａに表示される食材検索画面２０ａでは、食材検索操作欄２１に食材の各色を表わす色エリア２２ａ〜２２ｅの配列の色選択欄２２と食材の各栄養素を表わす栄養素エリア２３ａ〜２３ｅの配列の栄養素選択欄２３とが互いに接近して設けられ、かかる配列方向に移動操作可能な操作バー２４により、色選択欄２２から食材の色が、栄養素選択欄２３から食材の栄養素が夫々選択されると、これら色，栄養素の食材の検索がサーバで行なわれ、その検索結果の食材の画像などからなる食材エリア２６の配列が食材配列表示欄２５に表示される。所望とする食材エリア２６の買い指示ボタン２６ｃをタッチ操作することにより、その食材が買いものかごに入った状態となる。【選択図】図４
2012256181.tif 000002
【特許請求の範囲】
【請求項１】
ユーザ端末機器でその表示画面に表示される食材検索画面での操作に応じた食材の情報を商品管理サーバから取得し、取得した該食材の情報から所望とする食材の情報を選択することにより、該所望とする食材の注文をすることができるようにした食材検索システムであって、
該食材検索画面は、
食材の各種色を表わす色エリアが配列された色選択欄と、食材の各種栄養素を表わす栄養素エリアが配列された栄養素選択欄とを同時に含る食材検索操作欄と、
該色選択欄で選択された色と該栄養素選択欄で選択された栄養素とを基に、該商品管理サーバで検索されて提供された該食材の情報を示す食材エリアの配列が表示される食材配列表示欄と
を有し、
該色選択欄で選択された色と該栄養素選択欄で選択された栄養素の食材が該商品管理サーバで検索され、検索された該食材の食材エリアの配列が該食材配列表示欄に表示される
ことを特徴とする食材検索システム。
【請求項２】
請求項１において、
前記色選択欄の前記色エリアと前記栄養素選択欄での前記栄養素エリアとは、前記食材検索操作欄内で同じ方向に互いに近接して配列され、前記食材検索操作欄内に、前記色エリアの配列と前記栄養素エリアの配列とを横切るようにして配置されて、前記色エリアと前記栄養素エリアとの配列方向に移動可能な細長い棒状の操作バーが設けられ、
前記色エリアと前記栄養素エリアとの配列方向の夫々の位置が、その位置での前記色エリアによる色で、かつ、その位置での前記栄養素エリアによる栄養素の食材が対応付けられており、
該操作バーを含む前記色エリアと前記栄養素エリアとの配列方向の予め決められた範囲内の該位置に対応する色と栄養素の食材が前記商品管理サーバで検索されてその前記食材エリアが前記食材配列表示欄に表示される
ことを特徴とする食材検索システム。
【請求項３】
請求項１または２において、
前記食材検索画面に、その食材が買い物かごに入れられたものとして、該買い物かごに入れられた食材を集計して表示する手段を設けた
ことを特徴とする食材検索システム。
【請求項４】
請求項３において、
前記ユーザ端末機器の向きを前記表示画面が横長の画面の状態から縦長の画面の状態に変更したとき、前記表示画面に、前記買い物かごに入れられた食材による栄養バランス状態を示す栄養バランス表示欄を含む栄養バランス確認画面が表示され、
該栄養バランス表示欄では、前記色選択欄で設定されている色エリアによる色毎の前記買い物かご内での食材の量のバランス状態を栄養バランス状態として表示される
ことを特徴とする食材検索システム。
【請求項５】
請求項３において、
前記ユーザ端末機器の向きを前記表示画面が横長の画面の状態から縦長の画面の状態に変更したとき、前記表示画面に、複数の所定期間のうちの指定される所定期間内に買いものした食材による栄養バランスを表わす栄養バランス表示欄を含む栄養バランス確認画面が表示され、該所定期間は選択可能に複数設定され、
該栄養バランス表示欄では、前記色選択欄で設定されている色エリアによる色毎の前記買い物かご内での食材の量のバランス状態を栄養バランス状態として表示される
ことを特徴とする食材検索システム。
【請求項６】
請求項４または５において、
買う量を増やす必要のある前記食材に該当する色を指摘表示することを特徴とする食材検索システム。
【請求項７】
ユーザ端末機器でその表示画面に表示される食材検索画面での操作に応じた食材の情報を商品管理サーバから取得し、取得した該食材の情報から所望とする食材の情報を選択することにより、該所望とする食材の注文をすることができるようにした食材検索システムであって、
該食材検索画面は、
食材の夫々の色を表わすカラーバーと該カラーバーでの色毎に食材の該当する栄養素が対向して設定され、食材の該栄養素毎に栄養素ボタンが設けられた栄養素選択欄とを同時に含む食材検索操作欄と、
該栄養素選択欄での所望とする栄養素ボタンのタッチ操作によって選択された栄養素と該タッチ操作された栄養素ボタンに対向する該カラーバーでの位置の色とを基に、該商品管理サーバで検索されて提供された該食材の情報を示す食材エリアの配列が表示される食材配列表示欄と
を有し、
該栄養素ボタンで選択された色と栄養素の食材が該商品管理サーバで検索され、検索された該食材の食材エリアの配列が該食材配列表示欄に表示される
ことを特徴とする食材検索システム。
【請求項８】
請求項７において、
前記食材検索画面に、その食材が買い物かごに入れられたものとして、該買い物かごに入れられた食材を集計して表示する手段を設けた
ことを特徴とする食材検索システム。
【請求項９】
請求項８において、
前記買い物かご内の食材について、栄養素毎の取得比率を求め、
前記栄養素毎の栄養素ボタンに該当する栄養素の取得比率を表示する
ことを特徴とする食材検索システム。
【請求項１０】
ユーザ端末機器でその表示画面に表示される食材検索画面での操作に応じた食材の情報を商品管理サーバから取得し、取得した該食材の情報から所望とする食材の情報を選択することにより、該所望とする食材の注文をすることができるようにした食材検索システムであって、
該食材検索画面は、
食材の各種色毎の色ボタンが配列された色選択欄と、該色選択欄と同時に表示される該食材の味毎の味ボタンが配列された味選択欄とからなる食材検索操作欄と、
該色選択欄での所望とする色の該色ボタンと該味選択欄での所望とする味の味ボタンとのタッチ操作によって指定選択された色と味とを基に、該商品管理サーバで検索されて提供された該食材の情報を示す食材エリアの配列が表示される食材配列表示欄と
を有し、
該食材検索操作欄で指定選択された色と味の食材が該商品管理サーバで検索され、検索された該食材の食材エリアの配列が該食材配列表示欄に表示される
ことを特徴とする食材検索システム。
【発明の詳細な説明】
【技術分野】
【０００１】
本発明は、ユーザ（利用者）がスーパーマーケットなどの商品販売会社にインターネットを介して商品の注文することができるようにしたネットスーパシステムに係り、特に、商品販売会社などから提供される食材検索画面でユーザが希望する食材を検索することができるようにした食材検索システムに関する。
【背景技術】
【０００２】
従来、インターネットを用いて商品の通信販売を行なうシステムが提案されている。
【０００３】
その一従来例として、クライアント端末であるオンライン端末装置でオンラインサーバにアクセスして、ホームショッピングサービスを受けることができるようにするものが知られている（例えば、特許文献１参照）。
【０００４】
かかる特許文献１に記載の技術では、オンラインサーバからの情報により、オンライン端末装置のディスプレイに仮想現実世界の店内が表示され、この店内をユーザがショッピング用カートをもって移動するように表示されることにより、様々な商品の画像を見ることができ、ユーザが購入したい商品の画像をポインティングデバイスで指定することにより、指示された商品の画像がショッピング用カート内に表示される。これにより、ユーザは購入しようとする商品を容易に認識できるものとしている。
【０００５】
他の従来例としては、商品の販売会社に各商品の色やサイズ，素材などの商品情報が格納されているとともに、この販売会社の顧客毎に顧客情報や好みの色，嫌いな色などの情報が格納されており、顧客毎にその顧客が好む色の商品を検索して、その検索した商品の画像をその顧客に送り、顧客側では、かかる商品の画像がカラーで表示されて、顧客が表示される商品から好みの商品の購入を決定することにより、販売会社に発注がなされてその商品が顧客宅に搬送されるものが提案されている（例えば、特許文献２参照）。
【０００６】
さらに他の従来例としては、インターネットを介した通信販売システムであって、色を指定することにより、欲しい色の商品を選択して注文することができるようにした技術が提案されている（例えば、特許文献３参照）。
【０００７】
かかる特許文献３に記載の技術は、ユーザの要求によってウェブサーバが購入用画面をユーザＰＣに送り、ユーザＰＣでは、この購入用画面が表示される。この購入用画面では、ウェブサーバ側が用意した複数の色の中から所定の色を選択するための色メニューと商品のカテゴリを選択するためのカテゴリメニューなどとともに、このカテゴリメニューで選択されたカテゴリで色メニューで選択された色の商品の画像が表示される。かかる購入用画面でユーザが欲しい色の商品を選択すると、その指定された商品の情報がウェブサーバに送信され、ウェブサーバでは、この指定された色あるいはその近似色の商品を検索し、該当する商品データをユーザに送信する。
【０００８】
ネットスーパーシステムは、基本的には、以上のようなシステムをなすものであるが、さらに、注文商品をそれを注文したユーザ宅に宅配するサービスも行なうものである。
【先行技術文献】
【特許文献】
【０００９】
【特許文献１】特開２００１−２８３０５７号公報
【特許文献２】特開２００２−２４２６３号公報
【特許文献３】特開２００２−９２０２０号公報
【発明の概要】
【発明が解決しようとする課題】
【００１０】
ところで、上記特許文献１に記載の技術では、仮想現実世界の店内でユーザがショッピング用カートをもって移動するように表示されるものであるから、献立の食材を購入する場合、このショッピング用カートを食材の売り場に移動させることが必要であり、また、この食材の売り場に移動したとしても、そこで売られている食材を確認しながら買おうとする食材や買いたい食材を決めなければならず、買いものに手間と時間が掛かることになる。
【００１１】
また、上記特許文献２に記載の技術では、顧客毎にその顧客が好む色の商品のカラー画像を表示し、それらの商品の中から顧客が購入しようとする商品を決めるものであるが、商品を献立の食材とした場合には（特許文献２の段落〔００４７〕）、顧客にその色によって好き嫌いがある場合には、この顧客の好きな色の食材しか表示されず、栄養バランス良い食材の買いものをすることはできない。
【００１２】
さらに、上記特許文献３に記載の技術では、ユーザが色と商品のカテゴリとを選択すると、選択された色で選択されたカテゴリの商品が表示され、表示された商品のうちの好みの商品を選択することにより、その商品を購入することができるものであるから、かかる商品のカテゴリを食材とした場合には、選択された色のみで指定される食材が表示され、他の色の食材が必要であれば、その色が指定されることになり、希望する色毎の食材が購入できることになる。
【００１３】
しかしながら、ユーザとしては、色のみで購入する食材を決めることになるものであるから、栄養バランス良く購入する食材を決めることができない。
【００１４】
本発明の目的は、かかる問題を解消し、食材の買物に際しての手間を省いて手軽に栄養バランス良く食材の買いものをすることができるようにした食材検索システムを提供することにある。
【００１５】
また、食材の買い物では、同じ色の食材であっても、予定する料理に合った味の食材を必要とするものであるが、上記特許文献１〜３に記載の技術では、このような点を考慮して食材を選択することはできない。
【００１６】
本発明の他の目的は、かかる問題を解消し、ユーザが色と味の点から食材を選択することができるようにした食材検索システムを提供することにある。
【課題を解決するための手段】
【００１７】
上記目的を達成するために、本発明は、ユーザ端末機器でその表示画面に表示される食材検索画面での操作に応じた食材の情報を商品管理サーバから取得し、取得した食材の情報から所望とする食材の情報を選択することにより、所望とする食材の注文をすることができるようにした食材検索システムであって、食材検索画面は、食材の各種色を表わす色エリアが配列された色選択欄と食材の各種栄養素を表わす栄養素エリアが配列された栄養素選択欄とを同時に含む食材検索操作欄と、色選択欄で選択された色と栄養素選択欄で選択された栄養素とを基に、商品管理サーバで検索されて提供された食材の情報を示す食材エリアの配列が表示される食材配列表示欄とを有し、色選択欄で選択された色と栄養素選択欄で選択された栄養素の食材が商品管理サーバで検索され、検索された食材の食材エリアの配列が食材配列表示欄に表示されることを特徴とする。
【００１８】
また、本発明は、色選択欄の色エリアと栄養素選択欄での栄養素エリアとは、食材検索操作欄内で同じ方向に互いに近接して配列され、食材検索操作欄内に、色エリアの配列と栄養素エリアの配列とを横切るようにして配置されて、色エリアと栄養素エリアとの配列方向に移動可能な細長い棒状の操作バーが設けられ、色エリアと栄養素エリアとの配列方向の夫々の位置が、その位置での色エリアによる色で、かつ、その位置での栄養素エリアによる栄養素の食材が対応付けられており、操作バーを含む色エリアと栄養素エリアとの配列方向の予め決められた範囲内の位置に対応する色と栄養素の食材が商品管理サーバで検索されてその食材エリアが食材配列表示欄に表示されることを特徴とする。
【００１９】
さらに、本発明は、食材検索画面に、その食材が買い物かごに入れられたものとして、買い物かごに入れられた食材を集計して表示する手段を設けたことを特徴とする。
【００２０】
さらに、本発明は、ユーザ端末機器の向きを表示画面が横長の画面の状態から縦長の画面の状態に変更したとき、表示画面に、買い物かごに入れられた食材による栄養バランス状態を示す栄養バランス表示欄を含む栄養バランス確認画面が表示され、栄養バランス表示欄では、色選択欄で設定されている色エリアによる色毎の買い物かご内での食材の量のバランス状態を栄養バランス状態として表示されることを特徴とする。
【００２１】
さらに、本発明は、ユーザ端末機器の向きを表示画面が横長の画面の状態から縦長の画面の状態に変更したとき、表示画面に、複数の所定期間のうちの指定される所定期間内に買いものした食材による栄養バランスを表わす栄養バランス表示欄を含む栄養バランス確認画面が表示され、所定期間は選択可能に複数設定され、栄養バランス表示欄では、色選択欄で設定されている色エリアによる色毎の買い物かご内での食材の量のバランス状態を栄養バランス状態として表示されることを特徴とする。
【００２２】
さらに、本発明は、買う量を増やす必要のある食材に当する色を指摘表示することを特徴とする。
【００２３】
上記目的を達成するために、本発明は、ユーザ端末機器でその表示画面に表示される食材検索画面での操作に応じた食材の情報を商品管理サーバから取得し、取得した食材の情報から所望とする食材の情報を選択することにより、所望とする食材の注文をすることができるようにした食材検索システムであって、食材検索画面は、食材の夫々の色を表わすカラーバーとカラーバーでの色毎に食材の該当する栄養素が対向して設定され、食材の栄養素毎に栄養素ボタンが設けられた栄養素選択欄とを同時に含む食材検索操作欄と、栄養素選択欄での所望とする栄養素ボタンのタッチ操作によって選択された栄養素とタッチ操作された栄養素ボタンに対向するカラーバーでの位置の色とを基に、商品管理サーバで検索されて提供された食材の情報を示す食材エリアの配列が表示される食材配列表示欄とを有し、栄養素ボタンで選択された色と栄養素の食材が商品管理サーバで検索され、検索された食材の食材エリアの配列が食材配列表示欄に表示されることを特徴とする。
【００２４】
また、本発明は、食材検索画面に、その食材が買い物かごに入れられたものとして、買い物かごに入れられた食材を集計して表示する手段を設けたことを特徴とする。
【００２５】
また、本発明は、買い物かご内の食材について、色毎の取得比率を求め、色毎の色素ボタンに該当する色毎の取得比率を表示することを特徴とする。
【００２６】
上記他の目的を達成するために、本発明は、ユーザ端末機器でその表示画面に表示される食材検索画面での操作に応じた食材の情報を商品管理サーバから取得し、取得した食材の情報から所望とする食材の情報を選択することにより、所望とする食材の注文をすることができるようにした食材検索システムであって、食材検索画面は、食材の各種色毎の色ボタンが配列された色選択欄と、この色選択欄と同時に表示される食材の味毎の味ボタンが配列された味選択欄とからなる食材検索操作欄と、色選択欄での所望とする色の色ボタンと味選択欄での所望とする味の味ボタンとのタッチ操作によって指定選択された色と味とを基に、商品管理サーバで検索されて提供された食材の情報を示す食材エリアの配列が表示される食材配列表示欄とを有し、食材検索操作欄で指定選択された色と味の食材が商品管理サーバで検索され、検索された食材の食材エリアの配列が食材配列表示欄に表示されることを特徴とする。
【発明の効果】
【００２７】
本発明によると、食材の各色と食材の持つ栄養素とが同時に表示され、これらをもって所望とする色と栄養素をと選択することができるから、ユーザは色と栄養素と点から希望する食材を手間を掛けずに確実に選択することができる。
【００２８】
また、本発明によると、食材の各色と各味とが同時に表示され、これらをもって所望とする色と味とを選択することができるから、ユーザは色と味との点から希望する食材を手間を掛けずに確実に選択することができる。
【図面の簡単な説明】
【００２９】
【図１】本発明による食材検索システムを用いたネットスーパーシステムの一具体例を示すシステム構成図である。
【図２（ａ）】本発明による食材検索システムにおけるトップ画面の一具体例を示す図である。
【図２（ｂ）】本発明による食材検索システムにおけるトップ画面の他の具体例を示す図である。
【図３】図２（ａ），（ｂ）でのプロフィール設定ボタンのタッチ操作によって表示されるユーザプロフィール設定画面の一具体例を示す図である。
【図４】本発明による食材検索システムの第１の実施形態での図２（ａ），（ｂ）における操作欄１６での「売り場」ボタン１６ｄがタッチ操作されたときに表示される食材検索画面の一具体例を示す図である。
【図５】図４に示す食材検索画面２０ａでの操作バー２４の移動操作と食材配列表示欄２５に表示される食材エリア２６との関係の一具体例を示す図である。
【図６】本発明による食材検索システムの第１の実施形態での図２（ａ），（ｂ）における操作欄１６での「売り場」ボタン１６ｄがタッチ操作されたときに表示される食材検索画面の他の具体例を示す図である。
【図７（ａ）】図１に示すユーザ端末機器の表示画面１ａを縦長の状態にしてユーザ端末機器１を使用した場合の表示画面１ａに表示される食材検索画面の一具体例を示す図である。
【図７（ｂ）】図１に示すユーザ端末機器の表示画面１ａを縦長の状態にしてユーザ端末機器１を使用した場合の表示画面１ａに表示される食材検索画面の他の具体例を示す図である。
【図７（ｃ）】図７（ａ），（ｂ）に示す栄養バランス確認画面４０ａ，４０ｂの表示状態で操作欄１６の「履歴」ボタン１６ｃがタッチ操作されたときに表示画面１ａに表示される栄養バランス確認画面のさらに他の具体例を示す図である。
【図７（ｄ）】図１に示すユーザ端末機器の表示画面１ａを縦長の状態にしてユーザ端末機器１を使用した場合の表示画面１ａに表示される食材検索画面のさらに他の具体例を示す図である。
【図７（ｅ）】図１に示すユーザ端末機器の表示画面１ａを縦長の状態にしてユーザ端末機器１を使用した場合の表示画面１ａに表示される食材検索画面のさらに他の具体例を示す図である。
【図７（ｆ）】図１に示すユーザ端末機器の表示画面１ａを縦長の状態にしてユーザ端末機器１を使用した場合の表示画面１ａに表示される食材検索画面のさらに他の具体例を示す図である。
【図８】本発明による食材検索システムの第２の実施形態での図２（ａ），（ｂ）における操作欄１６での「献立」ボタン１６ｂがタッチ操作されたときに表示される食材検索画面の一具体例を示す図である。
【図９】本発明による食材検索システムの第２の実施形態での図４に示す食材検索画面の表示状態で表示画面１ａを縦長の状態にしてユーザ端末機器１を使用した場合のこの表示画面１ａに表示される買い物確認画面の一具体例を示す図である。
【図１０】本発明による食材検索システムの第３の実施形態での食材検索画面の一具体例を示す図である。
【図１１】図１０に示す第３の実施形態でのユーザに応じたカラーバー３３の作成方法を示す図である。
【図１２】本発明による食材検索システムの第４の実施形態での食材検索画面の一具体例を示す図である。
【発明を実施するための形態】
【００３０】
以下、ネットスーパーシステムに用いられる本発明の実施形態を図面を用いて説明する。
【００３１】
図１は本発明による食材検索システムを用いたネットスーパーシステムの一具体例を示すシステム構成図であって、１はユーザ端末機器、１ａは表示画面、２はネットスーパー事業者、２ａは商品管理サーバ、２ｂは商品データベース、２ｃは受注サーバ、３はクレジットカード会社、３ａは決済サーバ、４は物流会社、４ａは配送管理サーバである。
【００３２】
同図において、このネットスーパーシステムは、ユーザ端末機器１とネットスーパー事業者２とクレジットカード会社３と物流会社４とから構成されている。ユーザ端末機器１には、表示画面１ａと、図示しない音声入力部及び姿勢センサが設けられている。表示画面１ａにタッチパネルが設けられており、この表示画面１ａでタッチ操作をすることができ、音声入力部より音声による操作が可能である。また、姿勢センサにより、ユーザ端末機器１がどのような向きで保持されているかを検知することができる。
【００３３】
ネットスーパー事業者２は、スーパーマーケットなどの少なくとも食材の売り場を有する店舗であって、商品管理サーバ２ａと受注サーバ２ｃとを備えており、これらはユーザ端末機器１とインターネット（図示せず）を介して接続されている。商品管理サーバ２ａは、ユーザ（顧客）に関する情報を記憶した顧客ＤＢ（データベース）や在庫商品を管理するための在庫商品に関する情報を記憶した在庫ＤＢ，ユーザの食材購入履歴に関する情報を記憶する履歴ＤＢ，食材の検索画面の表示のためのメニューの情報（メニュー情報）を記憶したメニューＤＢ，メニューで表わされる商品に類似した商品の情報を記憶した類似ＤＢなどを備えた商品ＤＢ２ｂを有している。ここで、メニュー情報は、食材の名称や価格（単価），画像などの食材の属性情報のほかに、その食材の見た目の色や栄養素などの付加情報を含んでいる。
【００３４】
また、商品管理サーバ２ａは、制御部や画面生成部などを備えており、ユーザ端末機器１からの要求により、商品ＤＢ２ｂから所定の情報を取得して画面表示のための商品情報を作成し、ユーザ端末機器１に送信する。そして、ユーザが所望とする食材などの商品を選択してその商品の注文をすると、ユーザ端末機器１から注文情報がネットスーパー事業者２に送信され、このネットスーパー事業者２では、この注文情報が受注サーバ２ｃで受信される。これにより、ネットスーパー事業者２はユーザからの商品の注文を受注する。
【００３５】
クレジットカード会社３の決済サーバ３ａや物流会社４の配送管理サーバ４ａは、インターネットなどのネットワークを介して、ネットスーパー事業会社２の受注サーバ２ｃに接続されている。
【００３６】
ネットスーパー事業者２の受注サーバ２ｃは、ユーザ端末機器１から注文情報を受注すると、ユーザに関する情報や注文商品の値段などからなるクレジット情報をクレジット会社３の決済サーバ３ａに送信する。決済サーバ３ａは、このクレジット情報を基に、このユーザに対して注文した商品の決済をする。
【００３７】
ネットスーパー事業者２の受注サーバ２ｃは、ユーザ端末機器１から注文情報を受注すると、物流会社４の配送管理サーバ４ａに配送先（商品を注文したユーザ）の情報やこの配送先への配送商品（受注した商品）に関する情報を送信する。配送管理サーバ４ａがこの配送先・配送商品の情報を受信すると、物流会社４はこの配送商品を配送先に配送する。そして、この配送が行なわれると、配送管理サーバ４ａから配送したことを連絡するための配送状況情報をネットスーパー事業者２の受信サーバ２ｃに送信する。ネットスーパー事業者２の受信サーバ２ｃがこの配送状況情報を受信すると、商品管理サーバ２が商品ＤＢ２ｂの履歴ＤＢでのこのときのユーザの履歴情報を更新する。
【００３８】
次に、かかるネットスーパーシステムでの本発明による食材検索システムの実施形態を説明する。
【００３９】
かかる食材検索システムでは、ネットスーパー事業者２の商品管理サーバ２ａが、ユーザ端末機器１から商品購入の要求があると、商品データベース２ｂでの顧客ＤＢの顧客情報を基に、この要求のあったユーザを認識して、商品データベース２ｂでのメニューＤＢのメニュー情報（商品情報）を用いてこのユーザに応じた画面情報を作成し、要求のあったユーザ端末機器１に送信して提供する。ユーザ端末機器１では、その表示画面１ａにこの受信した画面情報を基に画面が表示され、この表示される画面を用いてユーザは希望する食材を検索することができる。なお、ネットスーパー事業者２の商品管理サーバ２ａは、メニューＤＢからのこのユーザに応じたメニュー情報をこのユーザのユーザ端末機器１に送信し、ユーザ端末機器１でかかる受信情報を基に上記の画面情報を作成するようにしてもよい。
【００４０】
図２（ａ）は本発明による食材検索システムの一実施形態におけるユーザ端末機器１の表示画面１ａに表示されるトップ画面の一具体例を示す図であって、１０ａはトップ画面、１１は商品表示エリア、１２ａ〜１２ｃは商品画像、１３は紹介人画像、１３ａは吹き出し、１４はチェックボタン、１５は指定商品表示欄、１５ａは指定画像保持部、１６は操作欄、１６ａは「ホーム」ボタン、１６ｂは「献立」ボタン、１６ｃは「履歴」ボタン、１６ｄは「売り場」ボタン、１６ｅは「買い物かご」アイコン、１６ｅ１は買い物個数表示、１６ｆは「支払い」決定ボタン、１７は操作欄、１７ａはユーザ設定ボタン、１７ｂは音声認識モードＯＮボタン、１７ｃは音声認識モードＯＦＦボタン、１７ｄは「キーワード」指定部、１７ｅは「詳細検索」ボタン、１８ａは「新着順」指定ボタン、１８ｂは「種類順」指定ボタンである。
【００４１】
同図において、ユーザ端末機器１（図１）で買い物のための所定の操作がなされると、立上り画面として図２（ａ）に示す買い物のためのトップ画面１０ａがこのユーザ端末機器１の表示画面１ａに表示される。このトップ画面１０ａは、その縦方向に商品表示エリア１１と指定商品表示欄１５と操作欄１６，１７とに区分されている。
【００４２】
商品表示エリア１１には、現在販売されている全ての商品を紹介するその商品毎の商品画像１２が配置されて表示される。この商品画像１２としては、ここでは、夏野菜スープカレーやオムライスなどの料理のレシピを紹介する「レシピ」紹介画像１２ａ、味噌やふじりんご，キャベツなどの料理の素材（食材）を紹介する「料理素材」紹介画像１２ｂ、ティシューなどの日用品を紹介する「日用品」紹介画像１２ｃなどとしており、このような商品画像１２が、恰も川の流れに乗って流れるように、画面上横方向（以下、単に横方向という）にスクロールしている。そして、これら商品画像１２で紹介される商品のうち、特に、顧客に強く紹介したいおすすめ商品があって、かかるおすすめ商品の商品画像１２が商品表示エリア１１に表示されると、この商品画像１２にそのおすすめ商品を紹介している状態の紹介人画像１３が、例えば、「残り物  活用！」といったメッセージの吹き出し１３ａとともに、表示される。また、各商品画像１２には、チェックボタン１４が設けられている。
【００４３】
指定商品表示欄１５には、複数の指定画像保持部１５ａが設けられており、商品表示エリア１１で表示される商品画像１２のいずれかのチェックボタン１４がタッチ操作されると、この商品画像１２が指定画像保持部１５ａの１つに保持され、この指定画像保持部１５ａに指定された商品画像１２が表示される。
【００４４】
操作欄１６には、「ホーム」ボタン１６ａや「献立」ボタン１６ｂ，「履歴」ボタン１６ｃ，「売り場」ボタン１６ｄ，「買い物かご」アイコン１６ｅ，「支払い」決定ボタン１６ｆが表示されている。かかる操作欄１６は、後述するいずれの画面でも設けられている。
【００４５】
「ホーム」ボタン１６ａは、トップ画面１０ａを表示させるための操作ボタンであって、このユーザ端末機器１の買い物案内の立上りでは、立上り画面としてこのトップ画面１０ａが表示されたときには、この、「ホーム」ボタン１６ａがタッチ操作された状態（この状態をハッチングで示す）にあるが、また、後述する他の画面でこの「ホーム」ボタン１６ａがタッチ操作されると、このトップ画面１０ａの表示状態に切り替えられる。
【００４６】
「献立」ボタン１６ｂは献立を指定してその素材を購入できる画面を表示させるためのものであり、「履歴」ボタン１６ｃは現在までの所定期間の商品の購入履歴を示す画面を表示させるためのものであり、「売り場」ボタン１６ｄは食材の売り場で現在売出し中の商品、即ち、食材を、後述するように、その色や栄養素に応じて示す画面（即ち、食材検索画面）を表示させるためのものである。
【００４７】
「買い物かご」アイコン１６ｅは、操作ボタンではなく、購入する商品を溜めておく領域を示すものであって、かかる商品を手に取って買い物かごにいれる動作を想定しているものである。この「買い物かご」アイコン１６ｅには、買い物商品の個数を表わす買い物個数表示部１６ｅ１が設けられている。商品表示エリア１１内の買いたい所望の商品の商品画像１２（チェックボタン１４以外の部分）をタッチ操作すると、この商品が「買い物かご」アイコン１６ｅの場所に移された（即ち、買い物かごに入れられた）ものとして、買い物個数表示部１６ｅ１での数値が値「１」だけインクリメントされる。また、指定商品表示欄１５の指定画像保持部１５ａに表示される指定された商品紹介画像をタッチ操作しても、この商品紹介画像の商品が買い物かごに入れられたものとして、買い物個数表示部１６ｅ１での数値が値「１」だけインクリメントされる。これにより、ユーザはどの程度買い物したかを確認することができる。
【００４８】
この場合、商品表示エリア１１でタッチ操作された商品画像１２は、例えば、ハッチングするなどして買い物かごに入れたものであることを表示するようにし、また、タッチ操作された商品紹介画像１２の指定画像保持部１５ａは、この商品紹介画像１２を消去するようにしてもよいが、例えば、ハッチングするなどして買い物かごに入れたものであることを表示するようにする。これにより、買い物かごに入れた商品を容易に確認することができる。
【００４９】
「支払い」決定ボタン１６ｆは、買い物が終わって支払いをする場合にタッチ操作されるものであって、この「支払い」決定ボタン１６ｆがタッチ操作されると、「買い物かご」アイコン１６ｅで買い物かごに入れられた商品についての注文情報が作成され、図１に示すように、ネットスーパー事業者２の受注サーバー２ｃに送信される。
【００５０】
操作欄１７には、このシステムを利用するユーザに関する情報を設定するための「ユーザプロフィール」設定ボタン１７ａと、音声認識モードを設定するための「音声認識モードＯＮ」ボタン１７ｂと、音声認識モードを解除するための「音声認識モードＯＦＦ」ボタン１７ｃと、買うものを文字や音声のキーワードとして指定することができる「キーワード」指定部１７ｄと、商品の絞り込みを行なうことができる「詳細検索」ボタン１７ｅとが設けられている。
【００５１】
さらに、商品表示エリア１１には、「新着順」指定ボタン１８ａと「種類順」指定ボタン１８ｂとが設けられている。「新着順」指定ボタン１８ａは商品表示エリア１１に表示される。「新着順」指定ボタン１８ａは、商品表示エリア１１で商品画像１２を商品の新着順に表示させるためのものである。トップ画面１０ａでは、かかる表示状態を示すものであって、この「新着順」指定ボタン１８ａが、例えば、ハッチングや明るく表示されたフォーカス状態にある。これに対して、「種類順」指定ボタン１８ｂは、表示する商品画像１２を商品の種類別に示すトップ画面を表示させるものである。
【００５２】
図２（ｂ）は図２（ａ）に示すトップ画面１０ａで「種類順」指定ボタン１８ｂがタッチ操作されたときに表示される商品の種類別に商品画像１２を表示するかかるトップ画面の一具体例を示す図であって、１０ｂはトップ画面、１３ｂ，１３ｃはジャンル（商品の種別）画像であり、図２（ａ）に該当する部分には同一符号を付けて重複する説明を省略する。
【００５３】
同図において、このトップ画面１０ｂでは、商品表示エリア１１において、商品画像１２が商品の種類毎にまとめられ、同じ種類の商品のまとまり毎に、例えば、「残り物活用」，「おすすめレシピ」といったような商品の種類を表わすジャンル画像１３ｂ，１３ｃが、スクロールしながら、表示される。また、かかるトップ画面１０ｂでは、「種類順」指定ボタン１８ｂがフォーカスされ、「新着順」指定ボタン１８ａがフォーカスが解除されている。かかるトップ画面１０ｂで「新着順」指定ボタン１８ａがタッチ操作されると、図２（ａ）に示す新着順に商品画像１２が表示されるトップ画面１０ａの表示に切り替わる。
【００５４】
このようにして、トップ画面で、商品画像１２の配列表示の仕方を切り替えることができ、ユーザは商品を選びやすい表示方法を選択することができる。
【００５５】
なお、このトップ画面１０ｂにおいて、「ホーム」ボタン１６ａがタッチ操作されると、立上り画面である図２（ａ）に示すトップ画面１０ａの表示に切り替わる。
【００５６】
また、図２（ｂ）では、省略しているが、各商品画像１２には、当該商品の数量や値段なども記載されている。
【００５７】
ところで、図２（ａ），（ｂ）に示すトップ画面１０ａ，１０ｂにおいては、表示される商品画像１２にその商品の数量や値段が記載されているが、かかる数量は、このトップ画面１０ａ，１０ｂを表示しているユーザ端末機器１（図１）を使用しているユーザの家族構成などに応じて決められているものであり、ネットスーパー事業者２の商品管理サーバ２ａの商品ＤＢ２ｂでの顧客ＤＢを基に設定されているものである。従って、ユーザ毎にその家族構成に応じた数量を表わす商品画像が表示されることになる。このことは、後述する各画面についても、同様である。トップ画面１０ａでの商品「千葉県のキャベツ」の商品画像１２ｂについてみると、その数量は「１個」としているが、これはユーザの家族構成などからして、かかるキャベツは１個購入すれば充分であることによるものである。このように、ユーザ毎にその家族構成などの情報に応じて表示される商品画像１２での商品の数量が設定されるものであるから、かかる商品を購入するユーザとしては、商品の数量までも考慮することなく、商品画像１２を指定操作するという簡単な操作でもって購入する商品を決めることができる。
【００５８】
そこで、物流会社４が注文があったユーザに注文商品を配送するためと、商品画像１２での販売商品の数量を家族構成などに応じて決めるために、このネットスーパーシステムでは、これを利用するためのシステムへの加入時に、ユーザはそのプロフィール（家族構成に関する情報）の設定を行なう。かかるユーザプロフィールの設定は、トップ画面１０ａ，１０ｂでのユーザ設定ボタン１７ａをタッチ操作することにより、行なうことができる。
【００５９】
図３はユーザ端末機器１（図１）に表示されるかかるユーザプロフィール設定画面の一具体例を示す図であって、１９はユーザプロフィール設定画面、１９ａは「住所」欄、１９ｂは「家族構成」欄、１９ｃは家族追加ボタンであり、図２（ａ），（ｂ）に対応する部分には同一符号を付けて重複する説明を省略する。
【００６０】
同図において、このユーザプロフィール設定画面１９には、「住所」欄１９ａと「家族構成」欄１９ｂと家族追加ボタン１９ｃとが設けられている。かかる欄１９ａ，１９ｂには、ユーザ端末機器１のキーボードなどを操作して必要な情報が入力されるが、「家族構成」欄１９ｂでは、家族構成員の性別，年齢とともに、嫌いな商品やアレルギーが出る商品などを家族構成員毎に入力することができる。また、各家族構成員の氏名も入力することができるが、注文商品の配送先を明確にするために、このネットスーパーシステムのサービスを受けるために加入の申込みをする家族構成員に対してのみ、氏名を入力し、他の家族構成員については、夫，妻，子といったような申込み本人に対する続柄を入力するようにしてもよい。さらに、「家族構成」欄１９ｂは、家族追加ボタン１９ｃがタッチ操作される毎に１つずつ追加されていき、これにより、家族構成員全員を入力することができる。
【００６１】
「住所」欄１９ａと「家族構成員」欄１９ｂの全ての入力が終了し、「送る」ボタン１９ｄがタッチ操作されると、このユーザプロフィール情報が顧客情報としてネットスーパー事業者２（図１）に送信される。ネットスーパー事業者２では、この顧客情報が商品管理サーバ２ａの商品ＤＢ２ｂに顧客ＤＢとして格納される。
【００６２】
なお、かかるユーザプロフィール設定画面１９は、後述する他の画面の表示状態のときにも、表示させることができ、このため、これら画面にも、プロフィール設定ボタン１７ａが設けられている。これにより、例えば、住所や家族構成が変更したときなどでは、このプロフィール設定ボタン１７ａを表示されて新たな住所や家族構成を入力することにより、ユーザプロィールを更新することができる。新たに入力されたユーザプロフィール情報は、ネットスーパー事業者２の商品管理サーバ２ａの商品ＤＢ２ｂでこれまでの顧客ＤＢを更新する。
【００６３】
また、ユーザプロフィール設定画面１９で「戻る」ボタン１９ｅがタッチ操作されると、１つ前の画面の表示状態に戻る。
【００６４】
次に、ユーザ端末機器１で図２（ａ），（ｂ）に示すトップ画面１０ａ，１０ｂでの操作欄１６の「売り場」ボタン１６ｄがタッチ操作されたときに表示される食材検索画面について説明する。
【００６５】
図４は本発明による食材検索システムの第１の実施形態での図２（ａ），（ｂ）における操作欄１６での「売り場」ボタン１６ｄがタッチ操作されたときに表示される食材検索画面の一具体例を示す図であって、２０ａは食材検索画面、２１は食材検索操作欄、２２は色選択欄、２２ａ〜２２ｅは色エリア、２３は栄養素選択欄、２３ａ〜２３ｅは栄養素エリア、２４は操作バー、２５は食材配列表示欄、２６は食材エリア、２６ａは食材画像、２６ｂは食材情報、２６ｃは買い指示ボタン、２７Ｒは右方向スクロールボタン、２７Ｌは左方向スクロールボタンであり、図２（ａ），（ｂ）に対応する部分には同一符号をつけて重複する説明を省略する。
【００６６】
前出の各画面での「売り場」ボタン１６ｄがタッチ操作されると、図４に示す食材検索画面２０ａが表示される。この食材検索画面２０ａには、操作欄１６，１７間に、食材をその色と栄養素とでもって検索するための食材検索操作欄２１と食材毎の食材エリア２６が配列されて表示される食材配列表示欄２５とが設けられている。
【００６７】
食材検索操作欄２１は上下に色選択欄２２と栄養素選択欄２３とに区分されており、色選択欄２２では、例えば、赤，黄，緑，黒，白毎の色エリア２２ａ〜２２ｅに区分されて設定され、栄養素選択エリア２３でも、例えば、カロチン，たんぱく質，ビタミン，ミネラル，炭水化物といった栄養素毎の栄養素エリア２３ａ〜２３ｅに区分されている。
【００６８】
色選択欄２２で設定される色は食材の見た目での色を表わすものであって、ここでは、食材売り場で売り出される全ての食材を色分けしたものであるが、その色を上記の赤，黄，緑，黒，白としている。従って、見た目での色が赤色の食材は色選択欄２２での「赤」の色エリア２２ａに対応付けられ、同じく黄色，緑色，黒色，白色の食材は夫々、「黄」，「緑」，「黒」，「白」の色エリア２２ｂ〜２２ｅに対応付けられている。なお、これら色エリア２２ａ〜２２ｅでは、夫々の該当する色を文字で表わすようにしている。
【００６９】
栄養素選択欄２３で設定される栄養素は、食材が持つ最も代表的な１つの栄養素を表わすものであって（各食材のかかる代表的な栄養素を、以下では、単に食材の栄養素ということにする）、ここでは、食材売り場で売り出される全ての食材を栄養素で区分したものであるが、その栄養素を上記のカロチン，たんぱく質，ビタミン，ミネラル，炭水化物としている。従って、カロチンを栄養素とする食材は「カロチン」の栄養素エリア２３ａに対応付けられ、同じくたんぱく質，ビタミン，ミネラル，炭水化物を栄養素とする食材は夫々、「たんぱく質」，「ビタミン」，「ミネラル」，「炭水化物」の栄養素エリア２３ｂ〜２３ｅに対応付けられる。なお、これら栄養素エリア２３ａ〜２３ｅでは、夫々の該当する栄養素を文字で表わしている。
【００７０】
ところで、同じ色の食材であっても、夫々の食材で栄養素が異なるものがある。また、同じ栄養素の食材であっても、見た目の色が異なる食材もある。このため、「赤」の色エリア２２ａが「カロチン」の栄養素エリア２３ａと「たんぱく質」の栄養素エリア２３ｂとに跨るように、２つ以上の栄養素エリア２３に跨る場合もあるし、逆に、「ビタミン」の栄養素エリア２３ｃが「黄」の色エリア２２ｂと「緑」の色エリア２２ｃとに跨るように、２つの色エリア２２に跨る場合もある。従って、例えば、緑色の食材であっても、ビタミンを栄養素とする食材もあれば、ミネラルを栄養素とする食材もあるし、また、例えば、ビタミンを栄養素とする食材であっても、黄色の食材もあれば、緑色の食材もあるということになる。
【００７１】
また、食材検索操作欄２１には、同時に表示される色選択欄２２の色エリア２２ａ〜２２ｅの配列と栄養素選択欄２３の栄養素エリア２３ａ〜２３ｅの配列とを縦方向に横切る細長い形状の操作バー２４が設けられている。この操作バー２４は、色選択欄２２での色エリア２２ａ〜２２ｅのいずれかと栄養素選択欄２３の栄養素エリア２３ａ〜２３ｅのいずれかとから所望とする色と栄養素の食材を検索するためのものであり、操作バー２４の左右方向へのドラッグ操作、または、食材検索操作欄２１のタッチ操作により、色選択欄２２の色エリア２２ａ〜２２ｅの配列方向と栄養素選択欄２３の栄養素エリア２３ａ〜２３ｅの配列方向に沿って移動させることができる。図示する状態では、かかる操作バー２４が黄色で栄養素が「ビタミン」である食材を指示している状態にある。
【００７２】
食材配列表示欄２５では、検索操作欄２１で操作バー２４によって指定された色と栄養素の食材の食材エリア２６が配列されて表示される。
【００７３】
ここで、操作バー２４がユーザによってドラッグ操作またはタッチ操作されて移動し、検索操作欄２１での操作バー２４の位置が変化すると、この操作バー２４が位置する色選択欄２２での色エリア２２（色エリア２２ａ〜２２ｅのいずれか）の色を表わす色情報（これを、特に、指定色情報という）と同じく栄養素選択欄２３での栄養素エリア２３（栄養素エリア２３ａ〜２３ｅのいずれか）の栄養素を表わす栄養素情報（これを、特に、指定栄養素情報という）とが図１でのネットスーパ事業者２の商品管理サーバ２ａに送信される。この商品管理サーバ２ａでは、商品ＤＢ２ｂのメニューＤＢで、これら指定色情報と指定栄養素情報を基に、指定色情報に該当する色で指定栄養素情報に該当する栄養素の食材が検索され、その検索結果の夫々の食材の情報を基に夫々の食材の食材エリア２６の情報が形成されてユーザ端末機器１に供給される。これにより、食材検索画面２０ａには、図４に示すように、食材エリア２６が配列された食材配列表示欄２５が表示されるものである。
【００７４】
食材エリア２６は、写真などの食材の実画像を表わす食材画像２６ａと食材の名称や値段などを表わす食材情報２６ｂとこの食材を買うことを指示するための買いもの指示ボタン２６ｃとが表示される。食材画像２６ａや食材情報２６ｂはネットスーパー事業者２（図１）における商品管理サーバ２ａの商品ＤＢ２ｂに格納されているメニューＤＢから検索されたものであり、買いもの指示ボタン２６ｃは商品ＤＢ２ｂで食材エリア２６毎に作成されたものである。
【００７５】
食材検索操作欄２１で操作バー２４をタッチ操作で右方向に移動させると、食材配列表示欄２５において、食材エリア２６の配列が左方向に移動（スクロール）し、食材配列表示欄２５の右辺部からこれまで表示されていなかった食材の食材エリア２６が現われて表示されるようになる。操作バー２４をドラッグ操作またはタッチ操作で左方向に移動させると、食材配列表示欄２５において、食材エリア２６の配列が右方向に移動（スクロール）し、食材配列表示欄２５の左辺部からこれまで表示されていなかった食材の食材エリア２６が現われて表示されるようになる。
【００７６】
また、食材配列表示欄２５の右辺部には、右方向スクロールボタン２７Ｒが、左辺部には、左方向スクロールボタン２７Ｌが夫々設けられており、右方向スクロールボタン２７Ｒがタッチ操作されると、それがタッチ操作されている期間中、食材エリア２６の列が左方向にスクロールし、これとともに、操作バー２４が右方向に移動する。即ち、右方向スクロールボタン２７Ｒは、操作バー２４を右方向に移動させた場合と同様の食材エリア２６の列の左方向スクロールを生じさせるものである。これとは逆に、左方向スクロールボタン２７Ｌがタッチ操作されると、それがタッチ操作されている期間中、食材エリア２６の列が右方向にスクロールし、これとともに、操作バー２４が左方向に移動する。即ち、左方向スクロールボタン２７Ｌは、操作バー２４を左方向に移動させた場合と同様の食材エリア２６の列の右方向スクロールを生じさせるものである。
【００７７】
このように、この実施形態での食材検索画面２０ａでは、食材検索操作欄２１で、操作バー２４により、食材の色と栄養素を指定することにより、ネットスーパー事業部２（図１）で指定されたかかる色と栄養素に該当する食材が全て検索され、これを表示するものであり、希望する色で栄養素の食材を簡単な操作でもって確実に見つけ出すことができる。
【００７８】
そして、購入を希望する食材の食材エリア２６での買い物指示ボタン２６ｃをタッチ操作することにより、図２（ａ），（ｂ）に示すトップ画面１０ａ，１０ｂの場合と同様、買い物指示ボタン２６ｃをタッチ操作した食材エリア２６の食材を買い物かごに入れたことになり、これにより、「買い物かご」アイコン１６ｅの買い物個数表示部１６ｅ１での数値（買い物数量）が値「１」だけインクリメントされる。
【００７９】
なお、各食材エリア２６に表示される食材情報としての値段は、ユーザ端末機器１を操作している顧客の家族に必要とする数量だけ購入するときの値段であって、かかる値段はネットスーパー事業者２（図１）の商品管理サーバ２ａで商品ＤＢ２ｂの顧客ＤＢやメニューＤＢなどの情報を基に計算して得られる。
【００８０】
また、「支払い」決定ボタン１６ｆがタッチ操作されると、買い物かごに納められている食材の支払いが行なわれ、これら食材が購入されることになるが、これとともに、ネットスーパー事業者２（図１）での商品管理サーバ２ａは、ユーザの商品ＤＢ２ｂでのこの購入者、即ち、ユーザに対する買い物の履歴ＤＢを更新する。
【００８１】
図５は図４に示す食材検索画面２０ａでの操作バー２４の移動操作と食材配列表示欄２５に表示される食材エリア２６との関係の一具体例を示す図であって、２１ａは色エリアの境界、２８は食材の配列、２９1〜２９5は表示食材選択範囲であり、図４に対応する部分には同一符号を付けて重複する説明を省略する。
【００８２】
図５（ａ）は食材検索操作欄２１での操作バー２４の位置変化を示すものであって、ここでは、この操作バー２４が「黄」の色エリア２２ｂと「ビタミン」の栄養素エリア２３ｃとが重複する範囲（以下、これを「黄／ビタミン」範囲といい、夫々の範囲を総称する場合には、「色／栄養素」範囲という）の中間位置Ｐ1にある状態と、この中間位置よりも右側に移動した位置Ｐ2にある状態と、「黄」の色エリア２２ｂでのこの「黄」の色エリア２２ｂと「緑」の色エリア２２ｃとの色エリアの境界２１ａの近傍の位置Ｐ3にある状態と、操作バー２４が「黄」の色エリア２２ｂから「緑」の色エリア２２ｃに移ってかかる境界２１ａの近傍の位置Ｐ4にある状態と、この位置Ｐ4からさらに右側に移動して位置Ｐ5にある状態とを示している。
【００８３】
また、図５（ｂ）〜（ｆ）は操作バー２４が位置Ｐ1〜Ｐ5（図４）にあるときの図４における食材配列表示欄２５で食材エリア２６が表示される食材の範囲の一具体例を模式的に示す図である。
【００８４】
図５（ｂ）において、食材の配列２８は食材検索操作欄２１の色エリア２２ａ〜２２ｅと栄養素エリア２３ａ〜２３ｅとでの夫々の食材の位置を仮想的に示すものであって、夫々の食材はその色と栄養素に応じた位置に位置付けられている。食材の配列２８での「黄／ビタミン」範囲に該当する範囲では、黄色でビタミンの食材が等間隔に配列されており、このことは他の「色／栄養素」範囲に該当する範囲についても同様であるが、「色／栄養素」範囲に該当する範囲毎に、該当する食材の個数が異なるものであるから、食材の配列間隔は異なることになる。そして、かかる食材の配列２８での各食材の位置、即ち、色選択欄２２と栄養素選択欄２３とに対する各食材の位置が、ネットスーパー事業者２の商品管理サーバ２ａの商品ＤＢ２ｂでのメニューＤＢに該当する食材に対応付けて格納されている。
【００８５】
この食材の配列２８において、このときの操作バー２４の位置Ｐ1を中心とする所定範囲を表わす表示食材選択範囲２９1が設定される。この表示食材選択範囲２９1内の食材の食材エリア２６が食材検索画面２０ａの食材配列表示欄２５に表示される。ここで、この表示食材選択範囲２９1は（他の表示食材選択範囲２９2〜２９5についても同様）、この食材エリア２６が食材検索画面２０ａで表示可能な最大個数の食材エリア２６の食材を含む大きさを持つものであって、「色／栄養素」範囲に該当する範囲での食材の設定位置間隔の大きさに応じてこの表示食材選択範囲２９1に含まれる食材の量，個数は異なるものである。
【００８６】
操作バー２４が位置Ｐ1にある図５（ａ）に図示する状態では、食材の配列２８での「黄／ビタミン」範囲に該当する範囲内に表示食材選択範囲２９1の全体が含まれる。この操作バー２４の位置Ｐ1を表わす操作バー位置情報がネットワークスーパー事業者２の商品管理サーバ２ａに送られる。この商品管理サーバ２ａでは、この操作バー位置情報を基に、食材の配列２８での表示食材選択範囲２９1が設定され、この表示食材選択範囲２９1内の食材が商品ＤＢ２ｂのメニューＤＢで検索される。そして、検索された食材毎にその食材エリア２６の情報が作成され、取得した位置Ｐ1の操作バー位置情報を基に食材検索画面２０ａの食材エリア２６でのこれら食材エリア２６の表示位置が求められ、これら食材エリア２６の情報とともにユーザ端末機器１に送られる。これにより、表示食材選択範囲２９1内の全ての食材の食材エリア２６が食材検索画面２０ａの食材配列表示欄２５に表示される。図４はかかる状態を示している。
【００８７】
なお、後述する他の食材検索画面などの画面においても、このようにして、ネットワークスーパー事業者２の商品管理サーバ２ａで食材エリア２６の情報やその表示位置の情報が作成され、これによって各食材の食材エリア２６が指定される表示位置に表示されるのであるが、この点についての説明は、重複するので、省略する。
【００８８】
この図５（ａ）に示される状態から操作バー２４がタッチ操作されて右方向に移動すると、食材検索画面２０ａでは、食材配列表示欄２５において、上記のように、食材エリア２６の配列が左方向にスクロールする。そして、図４に示す操作バー２４が位置Ｐ2にある状態となると、図５（ｃ）に示すように、このときも表示食材選択範囲２９2はその全体が「黄／ビタミン」範囲に該当する範囲内に含まれているものであるから、食材検索画面２０ａの食材配列表示欄２５の表示状態は、図４に示す状態となっている（但し、表示される食材エリア２６は、図５（ｂ）に示す状態とは異なる食材のものである）。
【００８９】
さらに、操作バー２４がタッチ操作されて右方向に移動し、栄養素の境界２１ａに近づくと、この境界２１ａによって表示食材選択範囲２９の右端部が制限され、操作バー２４が色エリアの境界２１ａの近傍の位置Ｐ3に達すると、図５（ｄ）に示すように、境界２１ａよりも右側の部分が除かれて、ほぼ左半分のみからなる表示食材選択範囲２９3となる。このため、食材検索画面２０ａでは、食材の配列２８での「黄／ビタミン」範囲に該当する範囲の表示食材選択範囲２９3に該当する右端側に配列された食材に対する食材エリア２６が食材配列表示欄２５の左側に配列されて表示される。
【００９０】
さらに、操作バー２４がドラッグ操作またはタッチ操作されて右方向に移動して栄養素の境界２１ａを越えて「緑／ビタミン」範囲に入り、色エリアの境界２１ａの近傍の位置Ｐ4に達すると、食材の配列２８では、図５（ｅ）に示すように、「緑／ビタミン」範囲に該当する範囲で色エリアの境界２１ａよりも左側の部分が除かれてほぼ右半分のみから成る表示食材選択範囲２９4が設定されることになり、表示食材選択範囲２９4内の緑でビタミンの食材の食材エリア２６が食材検索画面２０ａの食材配列表示欄２５に表示されることになる。この場合には、かかる食材エリア２６は、図４において、食材配列表示欄２５の右側に表示され、表示が黄色でビタミンの食材の食材エリア２６から緑でビタミンの食材の食材エリア２６に代わることになる。
【００９１】
さらに、操作バー２４がドラッグ操作またはタッチ操作されて右方向に移動すると、かかる食材２６の配列が左方にスクロールし、操作バー２４が図５（ａ）に示す位置Ｐ5に達した状態となり、図５（ｆ）に示すように、食材の配列２８に全体が含まれる表示食材選択範囲２９5が設定された状態となると、図４に示すように、食材検索画面２０ａの食材配列表示欄２５にこの表示食材選択範囲２９5に含まれる全ての食材の食材エリア２６の配列が表示される。
【００９２】
このようにして、操作バー２４をドラッグ操作またはタッチ操作して移動させることにより、この操作レバー２４の位置に応じた「色／栄養素」範囲に該当する範囲での食材の食材エリア２６の配列が表示されることになる。この場合、食材検索画面２０ａの食材配列表示欄２５に同時に表示される食材エリア２６は、常に同じ色で同じ栄養素の食材の食材エリアである。
【００９３】
なお、以上は操作バー２４を右方向に移動させた場合であったが、左側に移動させた場合も同様であるし、また、操作バー２４が色エリアの境界２１ａを横切る場合であったが、栄養素のエリアを横切る場合も同様である。
【００９４】
また、上記のように、スクロールバー２７Ｒ，２７Ｌをタッチ操作して食材検索画面２０ａの食材配列表示欄２５で食材エリア２６の配列がスクロールするとともに、操作バー２４もそのスクロール方向に応じた方向に移動するものであるから、この場合にも、操作バー２４の移動とともに、上記の動作が行なわれる。
【００９５】
さらに、以上は操作バー２４が色エリアの境界２１ａや栄養素の境界を横切る毎に異なる色と栄養素の食材の食材エリアが表示され、同時に異なる色と栄養素の食材の食材エリアが表示されることはないものとしたが、一変形例として、食材の配列２８で常に表示食材選択範囲２９（図５）が全体として設定され、操作バー２４が色エリアの境界２１ａや栄養素のエリアの境界を横切るときには、食材検索画面２０ａの食材配列表示欄２５で隣接する「色／栄養素」範囲に該当する範囲での食材の食材エリア２６の配列が同時に表示されることもあるようにしてもよい。
【００９６】
図６は本発明による食材検索システムの第１の実施形態での図２（ａ），（ｂ）における操作欄１６での「売り場」ボタン１６ｄがタッチ操作されたときに表示される食材検索画面の他の具体例を示す図であって、２０ｂは食材検索画面、３０は栄養素選択欄、３１は栄養素ボタン、３１ａは栄養素取得比率、３２は選択栄養素マーカ、３３はカラーバー、３４Ｗ，３４Ｒ，３４Ｙ，３４Ｇ，３４Ｂは色エリア、３５は食材指定バー、３６はガイドレールであり、図４に対応する部分には同一符号をつけて重複する説明を省略する。
【００９７】
同図において、この食材検索画面２０ｂも、図４に示す食材検索画面２０ａと同様にして、ユーザ端末機器１（図１）の表示画面１ａに表示される各画面、例えば、図２（ａ），（ｂ）に示すトップ画面１０ａ，１０ｂでの「売り場」ボタン１６ｄがタッチ操作されると、直ちに表示されるものである。この食材検索画面２０ｂでも、図４に示す食材検索画面２０ａと同様、色と栄養素とを条件にして食材を検索するものであるが、この色と栄養素の表示の仕方が図４に示す食材検索画面２０ａと異なるものである。
【００９８】
即ち、この具体例では、栄養素選択欄３０を食材の各栄養素、即ち、ここでは、炭水化物，カロチン，たんぱく質，ビタミン，ミネラルに等間隔で配分し、夫々の栄養素の配分領域に夫々同じ長さの横長枠状の操作ボタンとしての栄養素ボタン３１を設定したものであり、また、これと同時に、食材の色が、例えば、図４に示す具体例と同じ色として、赤，黄，緑，黒，白の５色を表わすカラーバー３３で表示するものである。このカラーバー３３は食材の各栄養素を表わす栄養素ボタン３１の配列（厳密には、栄養素の配分領域の配列）に沿って表示されて、これら色毎のエリア、即ち、色エリア３４Ｗ，３４Ｒ，３４Ｙ，３４Ｇ，３４Ｂが設けられている。即ち、このカラーバー３３での「炭水化物」の栄養素ボタン３１で示す配分領域に対向する色エリア３４Ｗには、白い色が表示され、以下、「カロチン」の栄養素ボタン３１で示す配分領域の全体と「たんぱく質」の栄養素ボタン３１で示す配分領域の半分の部分とに対向する色エリア３４Ｒには、赤い色が表示され、「たんぱく質」の栄養素ボタン３１で示す配分領域の残りの半分の部分と「ビタミン」の栄養素ボタン３１で示す配分領域の半分の部分とに対向する色エリア３４Ｙには、黄の色が表示され、「ビタミン」の栄養素ボタン３１で示す配分領域の残りの半分の部分と「ミネラル」の栄養素ボタン３１で示す配分領域の半分の部分とに対向する色エリア３４Ｇには、緑の色が表示され、「ミネラル」の栄養素ボタン３１で示す配分領域の残りの半分の部分に対向する色エリア３４Ｂには、黒の色が表示される。
【００９９】
また、カラーバー３３に沿って、従って、栄養素ボタン３１の配列方向に沿ってガイドレール３６が表示され、さらに、このガイドレール３６に沿って移動可能に、食材指定バー３５が表示されている。ここで、このガードレール３２の各位置にそれに対向する栄養素ボタン３１で示す栄養素の配分領域と色エリア３４Ｗ，３４Ｒ，３４Ｙ，３４Ｇ，３４Ｂのいずれかの色とに該当する食材が対応付けられており、このガイドレール３６での食材指定バー３５の中心線が指すカラーバー３３の色を持つ食材が食材配列表示欄２５に配列されて表示される。食材指定バー３５の図示する状態では、栄養素が「ミネラル」で色が緑色の食材の食材エリア２６が食材配列表示欄２５に配列されて表示されていることになる。
【０１００】
ここで、栄養素選択欄３０は図４に示す食材検索画面２０ａでの栄養素選択欄２３に相当し、カラーバー３３は同じく色選択欄２２に相当し、栄養素選択欄と色選択欄との表現が図６と図４とで異なるものである。また、図４に示す具体例での図５で説明した栄養素選択欄２３，色選択欄２２に対する食材の設定位置の関係と同様に、図６に示す具体例においても、栄養素選択欄３０とカラーバー３３に対して食材の位置が設定されている。また、図４に示す具体例では、色エリア２２と栄養素エリア２３を細長い棒状の操作バー２４で指定するものであったが、図６に示す具体例では、食材配列表示欄２５での表示範囲を示す長さＷの食材指定バー３５が用いられている。この食材指定バー３５が示す表示範囲は、図５に示した操作バー２４に対する表示食材の選択範囲２９に相当するものである。
【０１０１】
ここで、この食材指定バー３５と図４での操作バー２４との違いは、操作バー２４がユーザのドラッグ操作またはタッチ操作によって移動するのに対し、食材指定バー３５は、操作バー２４と同様のドラッグ操作とタッチ操作とに加え、栄養素選択欄３０での栄養素ボタン３１のいずれかをタッチすることにより、このタッチされた栄養素ボタン３１に対向した位置に移動するものであり、これにより、色と栄養素とが指定されるものである。タッチされた栄養素ボタン３１には、それを囲む枠状の選択栄養素マーカ３２が表示される。以下、この点を基に、図６に示す具体例の動作について説明する。
【０１０２】
栄養素ボタン３１のいずれかがタッチされると（この栄養素ボタン３１に選択栄養素マーカ３２が表示される）、食材指定バー３５がこのタッチされた栄養素ボタン３１に対向する位置まで移動する。この場合、食材指定バー３５の長さＷは栄養素ボタン３１の長さの半分の長さであり、栄養素ボタン３１がタッチ操作されたときには、食材指定バー３５は必ずその栄養素ボタン３１のいずれかの半分に対向する位置に設定される。
【０１０３】
ここで、栄養素ボタン３１が配列されている領域は、各栄養素毎に均等に配分されており、かかる栄養素の配分領域毎にその栄養素を選択するための栄養素ボタン３１が設けられているものである。この栄養素の配分領域毎に、ガイドレール３６でのこの配分領域に対向する領域に該当する食材が対応付けられている。この栄養素の配分領域を、一例として、「たんぱく質」の栄養素について、領域ＮＥで示している。
【０１０４】
そこで、ユーザがいずれかの栄養素ボタン３１をタッチすると、このタッチされた栄養素ボタン３１に対向する位置まで食材指定バー３５は移動するのであるが、この場合、食材指定バー３５は、その移動方向に見て、栄養素ボタン３１の手前側の半分の長さの部分に対向する位置に移動する。例えば、図示するように、食材指定バー３５が「ミネラル」の栄養素ボタン３１の左側半分の部分にある状態で「たんぱく質」の栄養素ボタン３１がタッチされたとすると、食材指定バー３５はこの「たんぱく質」の栄養素ボタン３１の手前側、即ち、右側半分の部分に対向する位置に移動することになり、これにより、食材配列表示欄２５には、栄養素が「たんぱく質」で黄色の食材の食材エリア２６が配列されて表示されることになる。
【０１０５】
また、食材指定バー３５が対向している同じ栄養素ボタン３１が再度タッチされると、食材指定バー３５はこの同じ栄養素ボタン３１の反対側の半分の部分に対向する位置に移動する。そこで、例えば、図示するように、食材指定バー３５が「ミネラル」の栄養素ボタン３１の左側半分の部分に対向した状態でこの「ミネラル」の栄養素ボタン３１がタッチされると、食材指定バー３５は「ミネラル」の栄養素ボタン３１の右側半分の部分に移動する。これにより、食材配列表示欄２５には、栄養素が「ミネラル」で黒色の食材の食材エリア２６が配列されて表示されることになる。このことからして、同じ栄養素ボタン３１がタッチされる毎に、食材指定バー３５はこの同じ栄養素ボタン３１の一方の半分の部分に対向する位置から他方の半分の部分に対向する位置に移動する動作を繰り返すことになる。
【０１０６】
このように、食材指定バー３５は、いずれかの栄養素ボタン３１のいずれか一方の半分の部分に対向した位置に固定して設定され、そのときの食材指定バー３５の中心線が指す色の食材が食材配列表示欄２５に表示される。かかる状態で右方向スクロールボタン２７Ｒまたは左方向スクロールボタン２７Ｌがタッチ操作されると、食材配列表示欄２５で表示される食材エリア２６が右方向または左方向にスクロールするが、食材指定バー３５は移動せず、位置が固定されたままである。そして、右方向スクロールボタン２７Ｒまたは左方向スクロールボタン２７Ｌのタッチ操作が続いてスクロールが継続し、このときの「色／栄養素」範囲でのいずれかの端の食材が食材配列表示欄２５の一方の端から表示され始めて移動し続け、他方の端に達して表示されなくなると、食材指定バー３５は栄養素ボタン３１の他の半分の部分、または、隣の栄養素ボタン３１の一方の半分の部分に移動し、その部分での食材指定バー３５の範囲に含まれる食材の食材エリア２６の配列が食材配列表示欄２５に表示されるようになる。
【０１０７】
このように、この具体例では、食材指定バー３５によって食材の色と栄養素が指定され、右方向スクロールボタン２７Ｒまたは左方向スクロールボタン２７Ｌのタッチ操作により、食材配列表示欄２５で食材エリア２６の配列がスクロールされて、指定された色，栄養素の所望の食材を選択することができるものである。従って、この具体例も、図４に示す具体例と同様の効果が得られるものである。
【０１０８】
なお、右方向スクロールボタン２７Ｒまたは左方向スクロールボタン２７Ｌのタッチ操作とともに、食材指定バー３５も移動するようにしてもよい。
【０１０９】
各栄養素の栄養素ボタン３１には、その栄養素の現時点での栄養素取得比率３１ａが表示される。各栄養素ボタン３１では、その全長がこのときの買い物で摂取すべきその栄養素の量（栄養素の必要摂取量）を表わしており、この時点でのこの栄養素の実際の摂取量（買い物かごに入っている食材でのその栄養素の量）の栄養素の必要摂取量に対する比率が横線のハッチングで示す栄養素取得比率３１ａで表わされる。
【０１１０】
図４に示した具体例と同様、食材配列表示欄２５に表示される食材エリア２６でいずれかの買い指定ボタン２６ｃをタッチすることにより、食材エリア２６に該当する食材が仮想的な買い物かごに納められ、「買い物かご」アイコン１６ｅの買い物個数表示１６ｅ１の値が「１」だけインクリメントするが、これとともに、この食材がネットスーパー事業者２（図１）の商品管理サーバ２ａに通知される。この商品管理サーバ２ａでは、商品ＤＢ２ｂでのメニューＤＢを基に、この通知された食材での栄養素の量が求められ（この場合、この栄養素としては、選択栄養素マーカ３２が付された栄養素ばかりでなく、その食材に含まれる全ての栄養素について、その量が求められる）、その結果がユーザ端末機器１（図１）に提供される。これにより、該当する栄養素の栄養素ボタン３１でその栄養素取得比率３１ａが修正されて表示される。
【０１１１】
このようにして、ユーザは、栄養素ボタン３１で栄養素取得比率３１ａの表示を基に、摂取する必要のある栄養素を確認することができ、そのための食材を確認できて栄養素のバランスが良い食材の買い物を行なうことができる。
【０１１２】
以上の説明は、この実施形態で、ユーザ端末機器１（図１）を、その表示画面１ａを横長とした状態で、使用したときのものであるが、この表示画面１ａを縦長として使用した場合では、栄養バランス確認画面を表示させることができる。以下、図４に示す食材検索画面２０ａが表示されているときに、表示画面が縦長となるようにユーザ端末機器１の使用状態に変更した場合に表示される栄養バランス確認画面について説明する。なお、図６に示す食材検索画面２０ｂでは、栄養素ボタン３１で栄養素取得比率３１ａが表示されるので、特に表示画面１ａでの表示状態は変わらないものとするが、図４に示す食材検索画面２０ａの場合と同様、栄養バランス確認画面が表示されるようにしてもよい。
【０１１３】
図７（ａ）は表示画面１ａを縦長の状態にしてユーザ端末機器１を使用した場合の表示画面１ａに表示される栄養バランス確認画面の一具体例を示す図であって、４０ａは栄養バランス確認画面、４１は栄養バランス表示欄、４２は栄養バランス図、４３Ｒ，４３Ｙ，４３Ｇ，４３Ｂ，４３Ｗは栄養素最大取得比率色点、４３Ｙ’，４３Ｇ’，４３Ｗ’は栄養素実取得比率色点、４４は中心点、４５は線グラフ図、４６ａ，４６ｂ，４６ｃは栄養バランス線、４７はメッセージ表示部であり、図４に対応する部分には同一符号をつけて重複する説明を省略する。なお、説明を省略する部分では、一部符号の付記を省略している。
【０１１４】
図４に示す食材検索画面２０ａが表示されているときに表示画面１ａが縦長となるようにユーザ端末機器１の使用状態に変更すると、この表示画面１ａでは、図７（ａ）に示す栄養バランス確認画面４０ａの表示状態となる。
【０１１５】
この栄養バランス確認画面４０ａでは、表示画面１ａの上辺側に上から順に操作欄１７と色選択欄２２と食材配列欄２５とが表示され、その下辺に沿って操作欄１６が表示され、食材配列欄２５と操作欄１６との間に栄養バランス表示欄４１が表示される。この栄養バランス表示欄４１には、栄養バランス図４２とメッセージ表示部４７とが表示される。栄養バランス図４２は、上記の買い物かご内での食品の栄養バランスを示すものであって、かかる栄養バランスは食材の色毎の栄養素取得比率で表わされる。
【０１１６】
即ち、栄養バランス図４２は、中心点４４から等角間隔で等距離の５つの点、即ち、正五角形４６ａの頂点を各色の色点４３、即ち、栄養素最大取得比率赤点４３Ｒ，栄養素最大取得比率黄点４３Ｙ，栄養素最大取得比率緑点４３Ｇ，栄養素最大取得比率黒点４３Ｂ，栄養素最大取得比率白点４３Ｗ（以下、これらの総称もしくはいずれかを言う場合には、栄養素最大取得比率色点４３という）とし、買い物かご内に納められている食材の栄養素のバランスを食材の色バランスで表わすようにしている。なお、夫々の色、即ち、赤，黄，緑，黒，白の栄養素取得比率が全て等しい場合には、夫々の色の色点（即ち、栄養素取得比率色点４３’）は上記の栄養素最大取得比率色点４３Ｒ，４３Ｙ，４３Ｇ，４３Ｂ，４３Ｗとなる。そして、各色の栄養素取得率が異なるときには、この栄養素取得率が最大の色の栄養素取得率色点が栄養素最大取得比率色点４３となり、他の色の色点は、正五角形４６ａの中心点４４から該当する栄養素最大取得比率色点４３までの間のこの栄養素取得比率に応じた位置の点となる。なお、栄養素最大取得比率色点４３と栄養素取得比率色点４３’とを、総称して、色点ということにする（即ち、赤点，輝点，緑点，黒点，白点ということになる）。
【０１１７】
買い物かごに納められた食材の情報はネットスーパー事業部２（図１）の商品管理サーバ２ａに送られる。商品管理サーバ２ａは、取得した買いものかご内の食材の情報を基に、商品ＤＢ２ｂのメニューＤＢの情報から買いものかご内のこれら食材夫々の栄養素の取得量とユーザの家族が必要とする栄養素の必要量を求め、これから、さらに、栄養素毎に栄養素取得量と栄養素の必要量とから栄養素毎の栄養素取得比率を求める。得られた栄養素毎の栄養素取得比率は、上記のように、色毎の栄養素取得比率に設定され、ユーザ端末機器１に提供される。ユーザ端末機器１では、これら色のうちの栄養素最大取得比率の色（例えば、赤，黒）に対しては、栄養素最大取得比率色点４３が設定され、それ以外の色に対しては、栄養素取得比率に応じた位置に栄養素取得比率色点４３’（＝４３Ｙ’，４３Ｇ’，４３Ｗ’）が設定される。
【０１１８】
上記のように、栄養バランス表示欄４１では、栄養素取得比率が最も大きい色に対しては、この栄養素取得比率が栄養素最大取得比率色点４３で表わされ、これよりも小さい栄養素取得比率の色に対しては、その栄養素取得比率が中心点４４と栄養素最大取得比率色点との間のこの栄養素取得比率に応じた位置の栄養素取得比率色点４３’で表わされる。
【０１１９】
図示する例では、赤と黒の食材で栄養素取得比率が最大であり、このため、赤色と黒色に対しては、これらの栄養素取得比率が栄養素最大取得比率色点４３Ｒ，４３Ｂで表わされる。黄色に対しては、その栄養素取得比率が赤色と黒色との栄養素取得比率よりも小さいため、中心点４４と黄色の栄養素最大取得比率黄点４３Ｙとの間のこの栄養素取得比率に応じた位置の栄養素実取得比率黄点４３Ｙ’で表わされる。同様にして、緑色，白色に対しても、それらの栄養素取得比率が赤色と黒色との栄養素取得比率よりも小さいため、中心点４４と緑色の栄養素最大取得比率緑点４３Ｇとの間のこの栄養素取得比率に応じた位置の栄養素実取得比率黄点４３Ｇ’で、中心点４４と白色の栄養素最大取得比率白点４３Ｗとの間のこの栄養素取得比率に応じた位置の栄養素実取得比率白点４３Ｗ’で夫々表わされる。そして、これら栄養素最大取得比率赤点４３Ｒと栄養素実取得比率黄点４３Ｙ’と栄養素実取得比率緑点４３Ｇ’と栄養素最大取得比率黒点４３Ｂと栄養素実取得比率白点４３Ｗ’とを順次直線で結ぶことにより、五角形の色の線グラフ図４５が形成されて表示される。
【０１２０】
また、これとともに、栄養素最大取得比率色点４３Ｒ，４３Ｙ，４３Ｇ，４３Ｂ，４３Ｗ（正五角形４６ａの頂点）を順次直線で結んだ正五角形を栄養バランス線４６ａとするとともに、他の栄養素取得比率色点を通る正五角形状の栄養バランス線、即ち、栄養バランス線４６ｂ，４６ｃも表示する。栄養バランスの良い食材の買い物をすると、栄養バランス確認画面４０ａの栄養バランス表示欄４１では、ほぼ栄養バランス線４６ａに沿うほぼ正五角形状の線グラフ図４５が表示されるとともに、最良の栄養バランスを示す栄養バランス線４６ａが表示されることになり、それ以外の栄養バランス線は表示されないが、栄養バランスの良い食材の買い物ができていない場合には、最良の栄養バランスを示す栄養バランス線４６ａから外れた線グラフ図４５が正五角形の形状からは変形した形状で表示されるとともに、栄養素の取得比率が低い色の栄養素実取得比率色点を通る正五角形状の栄養バランス線４６ｂ，４６ｃなども表示されることになり、不足している栄養素（色）の不足の程度が明確に確認することができる。また、これとともに、特に栄養素が不足している栄養素については、メッセージ表示部４７で、例えば、「アドバイス：緑の食材を増やそう」といったようなメッセージが表示され、かかる食材の追加を促すようにする。これにより、追加すべき食材を明確に確認することができる。
【０１２１】
なお、五種類の色を対象としているため、栄養バランス図４２の線グラフ図４５は五角形の形状となるが、色としては、４種類以下、６種類以上であってもよく、これに応じてせんグラフ図４５の形状は異なるものである。以下の具体例についても、同様である。
【０１２２】
図７（ｂ）は表示画面１ａを縦長の状態にしてユーザ端末機器１を使用した場合の表示画面１ａに表示される栄養バランス確認画面の他の具体例を示す図であって、４０ｂは栄養バランス確認画面、４８はハッチングであり、図７（ａ）に対応する部分には同一符号をつけて重複する説明を省略する。
【０１２３】
同図において、栄養バランス確認画面４０ｂは、栄養素最大取得比率緑点４３Ｇの選択状態を示す。アドバイスを見て緑の食材が足りないことを認識し、４３Ｇ「緑」をタッチすると、色選択欄２２の緑が選択状態となり、食材は移設表示欄２５に不足している緑の食材が表示され、選ぶことができる状態になる。これ以外については、図７（ａ）に示す栄養バランス確認画面４０ａと同様である。
【０１２４】
このように、この具体例では、栄養バランス図４２で栄養素取得比率が特に少ない栄養素、即ち、色の表示文字もタッチング４８が付されて表示されるので、栄養素の面からさらに買う必要のある食材を容易に確認することができる。
【０１２５】
図７（ｃ）は図７（ａ），（ｂ）に示す栄養バランス確認画面４０ａ，４０ｂの表示状態で操作欄１６の「履歴」ボタン１６ｃがタッチ操作されたときに表示画面１ａに表示される栄養バランス確認画面のさらに他の具体例を示す図であって、４０ｃは栄養バランス確認画面、４９は期間指定欄、４９ａ〜４９ｃは期間指定ボタンであり、図７（ａ）に対応する部分には同一符号をつけて重複する説明を省略する。
【０１２６】
同図において、この栄養バランス確認画面４０ｃは、図７（ａ）に示す栄養バランス確認画面４０ａで色選択欄２２を表示する代わりに、期間指定欄４９が表示されるものである。この期間指定欄４９には、例えば、期間として１ヶ月期間を指定する「１ヶ月」期間指定ボタン４９ａと３ヶ月期間を指定する「３ヶ月」期間指定ボタン４９ｂと６ヶ月期間を指定する「６ヶ月」期間指定ボタン４９ｃとが設けられている。
【０１２７】
ここで、「１ヶ月」期間指定ボタン４９ａがタッチ操作されると、栄養バランス表示欄４１では、現在までの過去１ヶ月の期間に買い物した食材に対する栄養バランス図４２が、メッセージ表示部４７とともに、表示される。同様にして、「３ヶ月」期間指定ボタン４９ｂや「６ヶ月」期間指定ボタン４９ｃがタッチ操作されると、栄養バランス表示欄４１では、現在までの過去３ヶ月の期間に買い物した食材に対する栄養バランス図４２や現在までの過去６ヶ月の期間に買い物した食材に対する栄養バランス図４２が、メッセージ表示部４７とともに、表示される。これら栄養バランス図４２は、指定された上記期間に購入した食材の栄養バランスを表わすものである。
【０１２８】
このように、この具体例では、指定された期間に購入した食材の栄養バランスを確認することができ、この指定期間の買い物で栄養が不足した食材を確認することができる。これ以外については、図７（ａ）に示す栄養バランス確認画面４０ａと同様である。
【０１２９】
図７（ｄ）は表示画面１ａを縦長の状態にしてユーザ端末機器１を使用した場合の表示画面１ａに表示される食材検索画面のさらに他の具体例を示す図であって、４０ｄは栄養バランス確認画面、５０は栄養バランス図、５１Ｒ，５１Ｙ，５１Ｂ，５１Ｗ，５１Ｇは栄養素取得比率表示部であり、図７（ａ）に対応する部分には同一符号をつけて重複する説明を省略する。
【０１３０】
同図において、この栄養バランス確認画面４０ｄでは、図７（ａ）に示す栄養バランス確認画面４０ａで線グラフ図４５の栄養バランス図４２が表示される代わりに、各色毎に栄養素取得比率を示す栄養バランス図５０が表示される。
【０１３１】
この栄養バランス図５０では、買い物かご内の食材の各色毎に栄養素取得比率表示部５１（＝５１Ｒ，５１Ｙ，５１Ｂ，５１Ｗ，５１Ｇ）が表示される。この栄養素取得比率表示部５１は該当する栄養素の買い物する家族での一日の必要量に応じた長さの枠で表わされ、その枠内で実際に買い物かごに入っている食材に対する栄養素取得比率がハッチングして表示される。
【０１３２】
図示する例では、このユーザの家族については、緑の食材を最も多く必要とし、次いで黒の食材を多く必要とし、赤の食材と白の食材は最も少なく必要とする。今回の買い物の現在買い物かごに入れてある食材について見ると、赤の食材と白の食材は、その栄養素取得比率表示部５１Ｒ，５１Ｗからみて、必要な栄養素取得量だけの量が買い物かごに入っていることになり、黄の食材と黒の食材も、ある程度充分な栄養素取得量の量が買い物かごに入っていることになるが、緑の食材は充分な栄養素取得量の量が買い物かごに入っていないことになる。このために、メッセージ表示部４７では、この緑の食材を増やすようにアドバイスがなされている。
【０１３３】
このように、この具体例でも、先の栄養バランス確認画面の先の具体例と同様、不足する栄養素の食材を明確に確認することができ、栄養バランスの良い買い物が可能となる。
【０１３４】
図７（ｅ）は表示画面１ａを縦長の状態にしてユーザ端末機器１を使用した場合の表示画面１ａに表示される食材検索画面のさらに他の具体例を示す図であって、４０ｅは栄養バランス確認画面、５２は実栄養バランス図、５３は理想栄養バランス図であり、図７（ａ）に対応する部分には同一符号をつけて重複する説明を省略する。
【０１３５】
同図において、この栄養バランス確認画面４０ｅでは、栄養バランス表示欄４１において、図７（ａ）に示す栄養バランス確認画面４０ａで線グラフ図４５の栄養バランス図４２が表示される代わりに、各色毎に栄養素取得割合を示す実栄養バランス図５２が表示される。
【０１３６】
この実栄養バランス図５２は、買い物かご内での食材の各栄養素の取得量を円形グラフで表わしたものであって、先の具体例と同様、栄養素の種類を食材の色で表わしている。図示する例では、赤の食材の取得量が最も多く、黄，緑，黒，白の順で食材の取得量が少なくなっている。
【０１３７】
栄養バランス表示欄４１には、さらに、理想的な栄養バランスでの赤，黄，緑，黒，白の食材の割合を示す理想栄養バランス図５３が示されており、これと実栄養バランス図５２とを比較することにより、取得量が不足している色の食材を確認することができる。図示する例では、赤，白，黒の食材の取得量は理想に近いものであり、黄の食材は理想を超えて充分な取得量であるが、緑の食材は理想よりもかなり少ない取得量となっており、この緑の食材を追加する必要があることがわかる。そして、取得量が理想からは少ないかかる緑の食材については、先の栄養バランス確認画面の各具体例と同様、メッセージ表示部４７でこの緑の食材を増やすようにアドバイスがなされている。
【０１３８】
このように、この具体例においても、先の栄養バランス確認画面の各具体例と同様の効果が得られることになる。
【０１３９】
図７（ｆ）は表示画面１ａを縦長の状態にしてユーザ端末機器１を使用した場合の表示画面１ａに表示される食材検索画面のさらに他の具体例を示す図であって、４０ｆは栄養バランス確認画面、５４はハッチングであり、図７（ｅ）に対応する部分には同一符号をつけて重複する説明を省略する。
【０１４０】
同図において、この栄養バランス確認画面４０ｆでは、栄養バランス表示欄４１での実栄養バランス図５２で、緑の選択状態を示す。グラフの「緑」をタッチすると、色選択欄２２の緑が選択状態となり、食材配列表示欄２５に不足している緑の食材が表示され、選ぶことができる状態となる。これ以外については、図７（ｅ）に示す栄養バランス確認画面４０ｅと同様である。
【０１４１】
従って、この具体例は、図７（ｅ）に示す具体例と同様の効果が得られるが、さらに、まずユーザが見る実栄養バランス図５２からも、追加購入を必要とする色の食材を確認することができ、迅速な確認が可能となる。
【０１４２】
図８は本発明による食材検索システムの第１の実施形態での図２（ａ），（ｂ）における操作欄１６での「献立」ボタン１６ｂがタッチ操作されたときに表示される食材検索画面の一具体例を示す図であって、６０は食材検索画面、６１は味選択欄、６１ａ〜６１ｅは味ボタン、６２は乗算マーク、６３は献立エリア、６３ａは献立の画像、６３ｂは献立食材情報、６３ｃは買い指示ボタン、６４ａ〜６４ｅは色ボタンであり、図４に対応する部分には同一符号をつけて重複する説明を省略する。なお、一部では、符号を省略している。
【０１４３】
同図において、この食材検索画面６０は、図２（ａ），（ｂ）における操作欄１６での「献立」ボタン１６ｂがタッチ操作されることにより、ユーザ端末機器１（図１）の表示画面１ａに表示されるものであって、献立によって食材が検索されるものである。
【０１４４】
この食材検索画面６０は、先の図４に示す食材検索画面２０ａと同様に、操作欄１６，１７や食材検索操作欄２１，食材配列表示欄２５からなるものであるが、食材検索操作欄２１が先の食材検索画面と異なるものである。即ち、食材検索操作欄２１では、色選択欄２２と味選択欄６１とが設けられ、これら色選択欄２２と味選択欄６１との間に乗算マーク６２が設けられていることにより、これらが関連付けられている。また、色選択欄２２は食材の色をタッチ操作して指定選択するための色ボタン６４ａ〜６４ｅからなり、味選択欄６１は食材の味をタッチ操作して指定選択するための味ボタン６１ａ〜６１ｅからなっている。
【０１４５】
味選択欄６１は献立の味を指定するためのものであって、ここでは、「塩辛い」味ボタン６１ａ，「甘い」味ボタン６１ｂ，「すっぱい」味ボタン６１ｃ，「辛い」味ボタン６１ｄ，「苦い」味ボタン６１ｅの５種類の味を指定することができる味ボタンが設けられている。色選択欄２２は、先の具体例での色選択欄２２と同様の献立の色について、即ち、赤について色ボタン６４ａが、黄について色ボタン６４ｂが、緑について色ボタン６４ｃが、黒について色ボタン６４ｄが、白について色ボタン６４ｅが夫々設けられている。
【０１４６】
ユーザが希望する献立を指定するためには、色選択欄２２で献立の色を指定するとともに、味選択欄６１で献立の味を指定する。乗算マーク６２は、献立を指定する場合には、このように、献立の色と味とを指定する必要があることを示しているものである。
【０１４７】
ここで、ネットスーパー事業者２における商品管理サーバ２ａの商品ＤＢ２ｂには、メニューＤＢに献立に関する情報も格納されており、各献立毎に食材検索操作欄２１での該当する色と味とが設定されている。
【０１４８】
そこで、色選択欄２２で所望とする献立の色に該当する色ボタン６４（色ボタン６４ａ〜６４ｅのいずれか）をタッチ操作して選択し、さらに、味選択欄６１でこの献立の味に該当する味ボタンをタッチ操作して選択すると、ネットスーパー事業者２の商品管理サーバ２ａ（図１）でこの選択された色で味の献立が検索され、その検索結果がユーザ端末機器１（図１）に送られて、その表示画面１ａに表示される食材検索画面６０での食材配列表示欄２５に表示される。
【０１４９】
図８に図示する状態は、色選択欄２２で緑色の色ボタン６４ｃがタッチ操作によって選択され、味選択欄６１で「塩辛い」味ボタン６１ａがタッチ操作によって選択され、これにより、食材配列表示欄２５に緑で塩辛い献立の献立エリア６３が配列されて表示されている状態を示している。この献立エリア６３は、先の具体例での食材エリア２６と同様であって、献立の画像６３ａや名称，値段などの献立食材情報６３ｂ，買うときにタッチ操作する買い指示ボタン６３ｃからなるものである。
【０１５０】
以上のように、食材を献立の面から買いものすることができるものであり、先の具体例と同様の効果が得られるものである。
【０１５１】
なお、右方向スクロールボタン２７Ｒや左方向スクロールボタン２７Ｌをタッチ操作することにより、食材配列表示欄２５で献立エリア６３の配列をスクロールさせることができるが、食材配列表示欄２５の端部からこれまで表示されていなかった献立エリア６３がなくなり、これまでの方向のスクロールができなくなり、これまでタッチ操作していたスクロールボタン２７Ｒまたは２７Ｌは表示されなくなり、スクロール可能な方向に対するスクロールボタン２７Ｌまたは２７Ｒのみが表示された状態になる。従って、この表示されているスクロールボタン２７Ｌまたは２７Ｒをタッチ操作すると、該当する方向にスクロールが始まるが、これとともに、反対側のスクロールも可能となって反対側のスクロールボタン２７Ｒまたは２７Ｌが表示されることになる。
【０１５２】
このように、スクロールボタン２７Ｌまたは２７Ｒをタッチ操作することによって、指定された同じ色と味の全ての献立を確認することができるものであり、他の色または味の献立を確認するためには、色選択欄２２や味選択欄６１でボタンをタッチ操作すればよい。
【０１５３】
図９は本発明による食材検索システムの第２の実施形態での図４に示す食材検索画面の表示状態で表示画面１ａを縦長の状態にしてユーザ端末機器１を使用した場合のこの表示画面１ａに表示される買い物確認画面の一具体例を示す図であって、７０は買い物確認画面、７１は選択食材表示欄、７２は買い物かご、７３は食材、７４は栄養バランス表であり、図７（ａ）に対応する部分には同一符号をつけて重複する説明を省略する。
【０１５４】
同図において、この第２の実施形態も、先の第１の実施形態と同様、図２（ａ），（ｂ）に示すトップ画面１０ａ，１０ｂが表示され、かかるトップ画面１０ａ，１０ｂの「売り場」ボタン１６ｄがタッチ操作されると、図４または図６に示す食材検索画面２０ａまたは２０ｂが表示されるものであるが、かかる食材検索画面２０ａまたは２０ｂが表示されている状態で、表示画面１ａを横長の状態から縦長の状態となるように、ユーザ端末機器１の向きを変更すると、図９に示す買い物確認画面７０が表示される。
【０１５５】
この買い物確認画面７０は、買い物かご内の状況、即ち、この買い物かごに入れた食材を確認できるようにしたものであって、表示画面１ａの上辺側に操作欄１７，色選択欄２２，食材配列表示欄２５から上から順に設けられて表示され、下辺側に操作欄１６が設けられて表示され、食材配列表示欄２５と操作欄１６との間にこの選択食材表示欄７１が設けられて表示される。
【０１５６】
この選択食材表示欄７１では、買い物かご７２が表示されており、買い指示ボタン２６ｃで選択された食材がある場合には、先の実施形態と同様、この食材は買い物かごに入れられたことになるので、このように選択された食材がある場合には、この買い物かご７２内にかかる選択された全ての食材７３が入れられている状態がカラー表示される。かかる食材７３の表示画像は、表示エリア２６に表示される食材画像２６ａである。
【０１５７】
食材エリア２６では、食材情報２６ｂとして、食材の値段も表示されているが、この値段はこのときのユーザの家族が必要とする量（個数）の値段であり、例えば、「オレンジ」が「￥１９８」ということは、このときのユーザの家族が、例えば、３人で、夫々が１つずつ食べるものとして、３個の値段が「１９８円」ということである。従って、希望する食材の食材エリア２６を選択してその食材を買い物かごに入れるものとすると、この食材がこの食材エリア２６に対して設定された個数だけ買い物かごに入れられることになる。従って、選択食材表示欄７１の買い物かご７２には、各食材７３が１〜複数個ずつ入っていることになる。
【０１５８】
このようにして、この第２の実施形態では、先の第１の実施形態と同様に、色と栄養素とを検索条件として、食材の検索して所望とする食材を購入することができるとともに、現在買う予定の買い物かごに入っている食材を、あたかも直に見るようにして、確認することができ、色や栄養素を考慮してさらに追加する必要がある食材を容易に確認することができる。
【０１５９】
なお、選択食材表示欄７１には、さらに、栄養バランス表７４が表示されている。この栄養バランス表７４は、買い物かご７３内の全ての食材７３による各栄養素（ここでは、ビタミン，ミネラル，脂質，糖質，タンパク質としている）の量を棒グラフで示するものであり、買い物かご７２に食材が全くない場合には、表示されないが、１つでも食材が買い物かご７２内に入ると、その食材についての栄養バランス表７４が表示されることになる。この栄養バランス表７４では、これら栄養素のユーザの家族の必要量は同じ長さの棒グラフで表わされ、棒グラフが短い栄養素ほど不足していることになる。従って、かかる栄養バランス表７４から不足している栄養素を確認することができ、これにより、追加すべき食材を容易に決めることができる。
【０１６０】
図１０は本発明による食材検索システムの第３の実施形態での食材検索画面の一具体例を示す図であって、８０は食材検索画面であり、図６に対応する部分には同一符号をつけて重複する説明を省略する。
【０１６１】
同図において、この食材検索画面８０は、食材検索操作欄２１がカラーバー３３とガイドレール３６に沿って移動可能な食材指定バー３５とからなるものであって、図６に示す食材検索画面２０ｂで食材検索操作欄２１の栄養素選択欄３３が除かれた構成と同様の構成をなすものである。
【０１６２】
そこで、図６に示す食材検索画面２０ｂと同様、カラーバー３３の各位置には、色が該当する食材が対応付けられており、また、食材指定バー３５はドラッグ操作またはタッチ操作することによりガイドレール３６に沿って移動可能であり、この食材指定バー３５の中心線が指す色の食材の食材エリア２６が食材配列表示欄２５に配列されて表示される。
【０１６３】
このように、この第３の実施形態は、色でもって食材を検索するものであり、食材指定バー３５をユーザがドラッグ操作またはタッチ操作して移動させ、カラーバー３３の所望とする色に対応する位置に設定することにより、この色の食材の食材エリア２６を食材配列表示欄２５に表示させることができ、先の実施形態と同様、所望の食材エリア２６の買い指示ボタン２６ｃをタッチすることにより、この食材エリア２６の食材を買い物かごに入れることができる。
【０１６４】
ところで、同じ食材であっても、これを見る人によって、見える色が異なる場合がある。この第３の実施形態の１つの変形例として、このように、人によって色が異なる食材に対しては、デフォルトとして、夫々の人が認識するカラーバー３３での異なる色に同じ食材を対応付けるようにする。例えば、同じ食材について、黄色い食材にも見えるし、白い食材にも見える場合、この食材をカラーバー３３の黄色の位置と白色の位置に対応させるものである。
【０１６５】
図１１は第３の実施形態でのユーザに応じたカラーバー３３の作成方法を示す図であって、３３ａ，３３ｂはユーザ毎のカラーバーであり、前出図面に対応する部分には同一符号をつけて重複する説明を省略する。
【０１６６】
図１１（ａ）はこのデフォルトのカラーバー３３を示すものであって、この食材検索システムで買い物をし始めるユーザには、このデフォルトのカラーバー３３を使用するものである。このデフォルトのカラーバー３３では、上記のように、同じ食材Ａが、人によって黄色の食材にも、白色の食材に見えるから、黄色の色エリア３４Ｙ内と白色の色エリア３４Ｗ内とにこの食材Ａを位置付けるものである。
【０１６７】
ユーザａがこの第３の実施形態の食材検索システムを用いて食材の買い物をする場合には、カラーバー３３としては、このディフォルトのカラーバー３３を用いる。このユーザａがこの食材Ａを黄色の食材と見てその検索を行なう場合、このカラーバー３３で黄色の色エリア３４Ｙを選択し、それによる食材エリア２６の中からこの食材Ａを選択する。このような買いもの結果は、ネットスーパー事業者２の商品管理サーバ２ａにより、商品ＤＢ２ｂの経歴ＤＢに履歴情報として格納されるが、かかる食材Ａの履歴情報から、このユーザａでは、食材Ａが黄色い食材として選択していることになれば、商品管理サーバ２ａはデフォルトのカラーバー３３に対して黄色の色エリア３４Ｙでの食材Ａの設定位置はそのまま残し、白色の色エリア３４Ｗでの食材Ａの設定位置をキャンセルし、図１１（ｂ）に示すようなユーザａに対するカラーバー３３ａを作成し、ユーザａに対してこれを使用する。
【０１６８】
また、ユーザｂがこの第３の実施形態の食材検索システムを用いて食材の買い物をする場合にも、カラーバー３３としては、図１１（ａ）に示すディフォルトのカラーバー３３を用いる。このユーザｂがこの食材Ａを白色の食材と見てその検索を行なう場合、このカラーバー３３で白色の色エリア３４Ｗを選択し、それによる食材エリア２６の中からこの食材Ａを選択する。このような買いもの結果は、ネットスーパー事業者２の商品管理サーバ２ａにより、商品ＤＢ２ｂの経歴ＤＢに履歴情報として格納されるが、かかる食材Ａの履歴情報から、このユーザｂでは、食材Ａが白い食材として選択していることになれば、商品管理サーバ２ａはデフォルトのカラーバー３３に対して白色の色エリア３４Ｗでの食材Ａの設定位置はそのまま残し、黄色の色エリア３４Ｙでの食材Ａの設定位置をキャンセルし、図１１（ｃ）に示すようなユーザｂに対するカラーバー３３ｂを作成し、ユーザｂに対してこれを使用する。
【０１６９】
このようにして、ユーザに応じて異なる色に見える食材に対し、ユーザ毎にその食材をそのユーザが見える色の位置に設定したカラーバーを用いて食材の検索を行なうことが可能となり、ユーザ毎にそれが認識する色で食材を決めることができる。
【０１７０】
図１２は本発明による食材検索システムの第４の実施形態での食材検索画面の一具体例を示す図であって、９０は食材検索画面、９１はカラーバー、９２は食材画像であり、図６に対応する部分には同一符号をつけて重複する説明を省略する。
【０１７１】
同図において、この第４の実施形態の食材検索画面９０は、図１０に示す第３の実施形態の食材検索画面８０と同様、食材検索操作欄２１がカラーバー９１とガイドレール３６に沿って移動可能な食材指定バー３５とからなるものであるが、このカラーバー９１は食材配列表示欄２５で配列表示される各食材エリア２６での食材画像２６ａが、食材画像９２として、縮小されて配列されてなるものである。
【０１７２】
ここで、食材画像９２は、その色に応じて、図１０におけるカラーバー３３のように、各色毎に区分されて配列されるものであって、かかる食材画像９２の配列がそれらの色によってカラーバー９２を構成しているものである。従って、このカラーバー９２では、一連の食材画像９２の配列により、それらの色によってカラーバーが形成されているが、また、食材が色毎に区分されて配列されていることになり、夫々の食材画像９２では、食材も認識することができる。
【０１７３】
以上の構成以外の構成は図１０に示す第３の実施形態と同様であり、従って、同様の効果が得られる。
【符号の説明】
【０１７４】
１：ユーザ端末機器              １ａ：表示画面
２：ネットスーパー事業者        ２ａ：商品管理サーバ
２ｂ：商品データベース            ２ｃ：受注サーバ
３：クレジットカード会社        ３ａ：決済サーバ      ４：物流会社
４ａ：配送管理サーバ            １０ａ：トップ画面
１１：商品表示エリア    １２ａ〜１２ｃ：商品画像      １３：紹介人画像
１３ａ：吹き出し            １４：チェックボタン  １５：指定商品表示欄
１５ａ：指定画像保持部      １６：操作欄        １６ａ：「ホーム」ボタン
１６ｂ：「献立」ボタン    １６ｃ：「履歴」ボタン  ６ｄ：「売り場」ボタン
１６ｅ：「買い物かご」アイコン    １６ｅ１：買い物個数表示
１６ｆ：「支払い」決定ボタン    １７：操作欄    １７ａ：ユーザ設定ボタン
１７ｂ：音声認識モードＯＮボタン    １７ｃ：音声認識モードＯＦＦボタン
１７ｄ：「キーワード」指定部        １７ｅ：「詳細検索」ボタン
１８ａ：「新着順」指定ボタン        １８ｂ：「種類順」指定ボタン
１９：ユーザプロフィール設定画面  １９ａ：「住所」欄
１９ｂ：「家族構成」欄              １９ｃ：家族追加ボタン
２０ａ〜２０ｂ：食材検索画面          ２１：食材検索操作欄
２１ａ：栄養素エリアの境界            ２２：色選択欄
２２ａ〜２２ｅ：色エリア              ２３：栄養素選択欄
２３ａ〜２３ｅ：栄養素エリア          ２４：操作バー
２５：食材配列表示欄                ２６：食材エリア  ２６ａ：食材画像
２６ｂ：食材情報                    ２６ｃ：買い指示ボタン
２７Ｒ：右方向スクロールボタン      ２７Ｌ：左方向スクロールボタン
２８：食材の配列            ２９1〜２９5：表示食材選択範囲
３０：栄養素選択欄                  ３１：栄養素ボタン
３１ａ：栄養素取得比率                ３２：選択栄養素マーカ
３３：カラーバー          ３３ａ，３３ｂ：ユーザ毎のカラーバー
３４Ｗ，３４Ｒ，３４Ｙ，３４Ｇ，３４Ｂ：色エリア  ３５：食材指定バー
３６：ガイドレール        ４０ａ〜４０ｆ：栄養バランス確認画面
４１：栄養バランス表示欄            ４２：栄養バランス図
４３Ｒ，４３Ｙ，４３Ｇ，４３Ｂ，４３Ｗ：栄養素最大取得比率色点
４３Ｙ’，４３Ｇ’，４３Ｗ’：栄養素実取得比率色点    ４４：中心点
４５：線グラフ図  ４６ａ，４６ｂ，４６ｃ：栄養バランス線
４７：メッセージ表示部              ４８：ハッチング  ４９：期間指定欄
４９ａ〜４９ｃ：期間指定ボタン      ５０：栄養バランス図
５１Ｒ，５１Ｙ，５１Ｂ，５１Ｗ，５１Ｇ：栄養素取得比率表示部
５２：実栄養バランス図    ５３：理想栄養バランス図  ５４：ハッチング
６０：食材検索画面        ６１：味選択欄  ６１ａ〜６１ｅ：味ボタン
６２：乗算マーク          ６３：献立エリア        ６３ａ：献立の画像
６３ｂ：献立食材情報      ６３ｃ：買い指示ボタン
６４ａ〜６４ｅ：色ボタン    ７０：買い物確認画面
７１：選択食材表示欄      ７２：買い物かご          ７３：食材
７４：栄養バランス表      ８０：食材検索画面        ９０：食材検索画面
９１：カラーバー          ９２：食材画像
【図１】
2012256181.tif 000003
【図２（ａ）】
2012256181.tif 000004
【図２（ｂ）】
2012256181.tif 000005
【図３】
2012256181.tif 000006
【図４】
2012256181.tif 000007
【図５】
2012256181.tif 000008
【図６】
2012256181.tif 000009
【図７（ａ）】
2012256181.tif 000010
【図７（ｂ）】
2012256181.tif 000011
【図７（ｃ）】
2012256181.tif 000012
【図７（ｄ）】
2012256181.tif 000013
【図７（ｅ）】
2012256181.tif 000014
【図７（ｆ）】
2012256181.tif 000015
【図８】
2012256181.tif 000016
【図９】
2012256181.tif 000017
【図１０】
2012256181.tif 000018
【図１１】
2012256181.tif 000019
【図１２】
2012256181.tif 000020